(57)【要約】【課題】マルチコイル加熱方式を用いた誘導加熱調理器で、表示画面を含む入力操作部において、被加熱物の選定等の操作性を向上させる。【解決手段】互いに隣接するように置かれた４個以上の加熱コイル群の中で、被加熱物の下方に位置する複数の加熱コイルの連携動作によって、１つの被加熱物を加熱するものにおいて、加熱コイルの上にあるトッププレート上に置かれた被加熱物Ｎの位置を、制御装置によって検知させ、制御装置は、検知した被加熱物の位置を表示画面において使用者が操作できる第１のアイコンで表示し、この第１のアイコンを使用者が正しく選択したかどうかを検知し、正しい選択をした場合に、火力等の加熱調理条件を設定できる第２のアイコンを表示画面に表示させるため、この第１のアイコンの表示段階から第２のアイコンの表示過程における一連のタッチ操作を、音声で誘導する音声ガイド装置を備えた。      【選択図】図４
2016025031.tif 000002
【特許請求の範囲】
【請求項１】
被加熱物を載置するトッププレートを上面に有する本体と、
前記本体の内部に収容された複数個の加熱コイルと、
前記加熱コイルに高周波電流を供給するインバーター回路と、
前記加熱コイルの直上に被加熱物が載置されているかどうかを判定する被加熱物載置判定部と、
前記本体の上面に設けた入力操作部と、
前記本体に設けた主電源スイッチと、
前記入力操作部の使用者へ音声で操作に関する情報を報知する音声ガイド装置と、
前記入力操作部、前記インバーター回路及び前記音声ガイド装置を制御する制御装置と、を備え、
前記入力操作部には、タッチ入力のための複数種類のアイコンが表示される表示画面を有し、
前記制御装置は、前記被加熱物載置判定部が被加熱物の載置を判定した結果に基づいて、前記表示画面の表示エリアに第１のアイコンを表示させ、
前記音声ガイド装置は、使用者が前記第１のアイコンにタッチ操作するために参考となる情報を報知し、
前記制御装置は、前記第１のアイコンに使用者がタッチしたことを検知した場合、前記表示画面において加熱調理の条件を選択する第２のアイコンを表示させ、その後第２のアイコンに使用者がタッチしたことを検知することにより、前記第１のアイコンに対応する被加熱物が加熱対象として選ばれ、加熱条件の入力が行えることを特徴とする誘導加熱調理器。
【請求項２】
前記制御装置は、制御動作を行うマイクロ・コンピュータを備え、
使用者によって主電源スイッチが投入された段階で前記マイクロ・コンピュータの制御プログラムを起動し、被加熱物載置判定部を起動して、被加熱物の載置状況を前記表示画面において第１のアイコンで表示させ、
前記アイコンの表示後に、前記音声ガイド装置によって前記第１のアイコンにタッチ操作するために参考となる情報を報知することを特徴とする請求項１に記載の誘導加熱調理器。
【請求項３】
前記制御装置は、前記第１のアイコンに使用者がタッチしたことを検知した段階で、前記表示画面において当該第１のアイコンの表示を消し、加熱調理時の火力レベルをタッチ操作で選択できる複数個の火力キーを第２のアイコンとして表示させることを特徴とする請求項１に記載の誘導加熱調理器。
【請求項４】
前記制御装置は、前記第１のアイコンに使用者がタッチしたことを検知した段階で、前記表示画面において当該第１のアイコンの表示を消し、加熱調理時の加熱時間がタッチ操作で選択できる複数個の時間設定キーを第２のアイコンとして表示させることを特徴とする請求項１に記載の誘導加熱調理器。
【請求項５】
被加熱物の載置状況を前記表示画面において第１のアイコンで表示させた後、前記音声ガイド装置は、前記表示画面の特定位置から前記第１のアイコンの表示位置まで誘導する情報を報知することを特徴とする請求項１に記載の誘導加熱調理器。
【請求項６】
前記制御装置は、前記表示画面において第２のアイコンを表示させた段階で、加熱コイルの駆動パターンを選択できる調理モードのアイコン（第３のアイコン）を表示させることを特徴とする請求項２〜５の何れか１つに記載の誘導加熱調理器。
【請求項７】
前記制御装置は、前記表示画面において第２のアイコンを表示させた段階で、駆動される加熱コイルの数と配置を示したイメージ図を表示させることを特徴とする請求項２〜５の何れか１つに記載の誘導加熱調理器。
【請求項８】
前記制御装置は、前記表示画面において第１のアイコンを表示させた段階で、第１のアイコンにタッチすることを勧める情報又は操作上の注意事項を示す情報の少なくとも何れか１つが文字で表現されたガイドエリアを表示することを特徴とする請求項２〜５の何れか１つに記載の誘導加熱調理器。
【請求項９】
使用者の選択操作によって前記音声ガイド装置の動作モードを、通常モードと初心者モードの中から何れかのモードを選択する手段を更に備え、
前記音声ガイド装置は、初心者モードの場合、使用者が前記第１のアイコンにタッチ操作するために参考となる情報を報知することを特徴とする請求項２〜５の何れか１つに記載の誘導加熱調理器。
【請求項１０】
前記表示画面は、前記加熱コイルによる誘導加熱領域の前端よりも手前側に配置されており、
前記表示画面において、前記第１のアイコンは、前記ガイドエリアの表示位置よりも常に手前側に表示されることを特徴とする請求項９に記載の誘導加熱調理器。
【請求項１１】
前記表示画面は、前記加熱コイルによる誘導加熱領域の前端よりも手前側に配置されており、
前記表示画面において、前記第１のアイコン及び第２のアイコンは、前記ガイドエリアの表示位置よりも常に手前側に表示されることを特徴とする請求項９に記載の誘導加熱調理器。
【請求項１２】
前記表示画面は、前記トッププレートによって覆われており、
前記トッププレートの表面には、第１のアイコンと第２のアイコンのタッチ位置の座標検出用電極を配置していることを特徴とする請求項９に記載の誘導加熱調理器。
【請求項１３】
前記表示画面には、第４のアイコンであるヘルプモード・キーが表示され、当該ヘルプモード・キーにタッチした場合、第１のアイコンをタッチする段階の使用者に対して、加熱対象の被加熱物を選択する操作を支援する情報が、前記音声ガイド装置から報知されることを特徴とする請求項２〜５の何れか１つに記載の誘導加熱調理器。
【請求項１４】
前記表示画面には、第５のアイコンであるインフォーメーション・キーが表示され、当該インフォーメーション・キーにタッチした場合、第２のアイコンをタッチする段階の使用者に対して、加熱コイルの駆動パターンを選択できる調理モード毎の加熱コイルの駆動パターン、消費電力量を節約する加熱調理の条件設定方法、火力を設定する場合の注意点及び加熱調理中の安全上の注意点、の少なくとも何れか１つに関する情報が、前記音声ガイド装置から報知されることを特徴とする請求項２〜５の何れか１つに記載の誘導加熱調理器。
【請求項１５】
前記制御装置は、前記表示画面において第２のアイコンを表示させた段階で、駆動される加熱コイルの数と配置を示したイメージ図を表示させ、
前記制御装置は、前記表示画面において第２のアイコンを表示させた段階で、調理モードの１つである煮込みモードにおける加熱コイルの火力と通電時間を表示させることを特徴とする請求項８に記載の誘導加熱調理器。
【請求項１６】
前記表示画面は、前記加熱コイルによる誘導加熱領域の前端よりも手前側に配置されており、
前記表示画面の背後側には、使用者がタッチしたことを静電容量の変化から検知する電極を設け、
前記制御装置は、前記第１のアイコンの選択場面において前記電極に使用者がタッチしたことを検知した場合、前記音声ガイド装置により警報を発することを特徴とする請求項９に記載の誘導加熱調理器。
【請求項１７】
前記表示画面は、前記加熱コイルによる誘導加熱領域の前端よりも手前側に配置されており、
前記表示画面には、前記第１のアイコンの選択場面において、位置報知アイコンを左右方向に並べて複数個表示させ、
前記第１のアイコンに使用者がタッチしない段階で、前記位置報知アイコンの１つに使用者がタッチした場合には、そのタッチ位置を前記音声ガイド装置により報知することを特徴とする請求項９に記載の誘導加熱調理器。
【請求項１８】
前記表示画面は、前記加熱コイルによる誘導加熱領域の前端よりも手前側に配置されており、
前記表示画面には、前記第１のアイコンの選択場面において、位置報知アイコンを左右方向に並べて複数個表示させ、
前記第１のアイコンに使用者がタッチしない段階で、前記位置報知アイコンの１つに使用者がタッチした場合に、そのタッチ位置を前記音声ガイド装置により報知させ、
前記制御装置は、前記第１のアイコンに使用者がタッチしたことを検知した段階で、前記表示画面において、前記報知アイコンを、第２のアイコンとして機能を切り替え表示させることを特徴とする請求項９に記載の誘導加熱調理器。
【請求項１９】
被加熱物を載置するトッププレートを上面に有する本体と、
前記本体の内部に収容された複数個の加熱コイルと、
前記加熱コイルに高周波電流を供給するインバーター回路と、
前記加熱コイルの直上に被加熱物が載置されているかどうかを判定する被加熱物載置判定部と、
前記本体の上面に設けた入力操作部と、
前記本体に設けた主電源スイッチと、
前記入力操作部の使用者へ音声で操作に関する情報を報知する音声ガイド装置と、
前記入力操作部、前記インバーター回路及び前記音声ガイド装置を制御する制御装置と、を備え、
前記加熱コイルは、互いに隣接するように規則正しく配置されており、かつ同一の外径寸法を有したものであり、
前記入力操作部には、タッチ入力のための複数種類のアイコンが表示される表示画面を有し、
前記制御装置は、前記被加熱物載置判定部が、互いに別々の位置にあって少なくとも隣接する２つの加熱コイルの上に第１の被加熱物と第２の被加熱物がそれぞれ載置されている状況と判定した結果に基づいて、前記表示画面の表示エリア内の２カ所に第１のアイコンを同時に表示させ、
前記音声ガイド装置は、使用者が前記第１のアイコンにタッチ操作するために参考となる情報を報知し、
前記制御装置は、前記２カ所の第１のアイコンの内、第１の被加熱物用の第１のアイコンに使用者がタッチしたことを検知した段階で、前記表示画面において第１の被加熱物による加熱調理の条件を選択する第２のアイコンを表示させ、その後第２のアイコンに使用者がタッチしたことを検知することにより、前記第１のアイコンに対応する第１の被加熱物が加熱対象として選ばれ、加熱条件の入力が行え、
さらに前記制御装置は、第１の被加熱物による加熱調理の条件を選択する第２のアイコンを表示させている期間中は、第２の被加熱物による加熱調理の条件を選択する第２のアイコンを表示させないことを特徴とする誘導加熱調理器。
【請求項２０】
２つの第１のアイコンの内、第１の被加熱物用の第１のアイコンに使用者がタッチしたことを検知した段階で、前記表示画面において第１の被加熱物による加熱調理の条件を選択する第２のアイコンを表示させて加熱調理条件の設定が終了し、第１の被加熱物に対する誘導加熱調理の開始が前記操作部から指令されたあと、
前記制御装置は、第１の被加熱物用の第１のアイコンを前記表示画面において表示させない状態で、第２の被加熱物による加熱調理の条件を選択する第２のアイコンを表示させることを特徴とする請求項１９に記載の誘導加熱調理器。
【請求項２１】
前記制御装置は、制御動作を行うマイクロ・コンピュータを備え、
使用者によって主電源スイッチが投入された段階で前記マイクロ・コンピュータの制御プログラムを起動し、被加熱物載置判定部を起動して、被加熱物の載置状況を前記表示画面において第１のアイコンで表示させ、
前記アイコンの表示後に、前記音声ガイド装置によって前記第１のアイコンにタッチ操作するために参考となる情報を報知することを特徴とする請求項１９に記載の誘導加熱調理器。
【請求項２２】
被加熱物の載置状況を前記表示画面において第１のアイコンで表示させた後、前記音声ガイド装置は、前記表示画面の特定位置から前記第１のアイコンの表示位置まで誘導する情報を報知することを特徴とする請求項１９に記載の誘導加熱調理器。
【請求項２３】
前記制御装置は、前記表示画面において第２のアイコンを表示させた段階で、加熱コイルの駆動パターンを選択できる調理モードのアイコンを表示させることを特徴とする請求項１９〜２２の何れか１つに記載の誘導加熱調理器。
【請求項２４】
前記制御装置は、前記表示画面において第２のアイコンを表示させた段階で、駆動される加熱コイルの数と配置を示したイメージ図を表示させることを特徴とする請求項１９〜２２の何れか１つに記載の誘導加熱調理器。
【請求項２５】
前記制御装置は、前記表示画面において第１のアイコンを表示させた段階で、第１のアイコンにタッチすることを勧める情報又は操作上の注意事項を示す情報の少なくとも何れか１つを文字で表現したガイドエリアを表示することを特徴とする請求項１９〜２２の何れか１つに記載の誘導加熱調理器。
【請求項２６】
使用者の選択操作によって前記音声ガイド装置の動作モードを、通常モードと初心者モードの中から何れかのモードを選択する手段を更に備え、
前記音声ガイド装置は、初心者モードの場合、使用者が前記第１のアイコンにタッチ操作するために参考となる情報を報知することを特徴とする請求項１９〜２２の何れか１つに記載の誘導加熱調理器。
【請求項２７】
前記表示画面は、前記加熱コイルによる誘導加熱領域の前端よりも手前側に配置されており、
前記表示画面において、前記第１のアイコンは、前記ガイドエリアの表示位置よりも常に手前側に表示されることを特徴とする請求項１９〜２２の何れか１つに記載の誘導加熱調理器。
【請求項２８】
前記表示画面は、前記加熱コイルによる誘導加熱領域の前端よりも手前側に配置されており、
前記表示画面において、前記第１のアイコン及び第２のアイコンは、前記ガイドエリアの表示位置よりも常に手前側に表示されることを特徴とする請求項１９〜２２の何れか１つに記載の誘導加熱調理器。
【請求項２９】
前記表示画面は、前記トッププレートによって覆われており、
前記トッププレートの表面には、第１のアイコンと第２のアイコンのタッチ位置の座標検出用電極を配置していることを特徴とする請求項１９〜２２の何れか１つに記載の誘導加熱調理器。
【請求項３０】
前記表示画面には、第４のアイコンであるヘルプモード・キーが表示され、当該ヘルプモード・キーにタッチした場合、第１のアイコンをタッチする段階の使用者に対して、加熱対象の被加熱物を選択する操作を支援する情報が、前記音声ガイド装置から報知されることを特徴とする請求項１９〜２２の何れか１つに記載の誘導加熱調理器。
【請求項３１】
前記表示画面には、第５のアイコンであるインフォーメーション・キーが表示され、当該インフォーメーション・キーにタッチした場合、第２のアイコンをタッチする段階の使用者に対して、加熱コイルの駆動パターンを選択できる調理モード毎の加熱コイルの駆動パターン、消費電力量を節約する加熱調理の条件設定方法、火力を設定する場合の注意点及び加熱調理中の安全上の注意点、の少なくとも何れか１つに関する情報が、前記音声ガイド装置から報知されることを特徴とする請求項請求項１９〜２２の何れか１つに記載の誘導加熱調理器。
【発明の詳細な説明】
【技術分野】
【０００１】
本発明は、誘導加熱調理器、特に一つの被加熱物（金属製鍋など）を複数の加熱コイルによって加熱する方式の誘導加熱調理器に関する。
【背景技術】
【０００２】
従来、１つの被加熱物（金属製鍋やフライパンなど）を、隣り合うように設置された複数の加熱コイルによって加熱する方式（以下、この方式を「マルチコイル方式」という）の誘導加熱調理器が提案されている（例えば、特許文献１参照）。
【０００３】
さらにマルチコイル方式において、操作エリアを明確に表示して、使いやすく、信頼性および安全性の高い誘導加熱装置を提供するために、被加熱物である調理容器が載置されているかどうかを判定する調理容器検出部と、操作部とを備え、その調理容器検出部の判定結果を操作部の載置状況表示エリアにアイコンで表示し、アイコンの表示部にタッチしてそれを選択することによって操作部の操作表示エリアに操作パネルが表示され、操作パネルを選択していくことによってアイコンに対応する調理容器が加熱されるように動作するよう構成したものが提案されている（例えば、特許文献２参照）。
【先行技術文献】
【特許文献】
【０００４】
【特許文献１】特開２０１０−１６５６５６号公報（第１頁、図１）
【特許文献２】特開２０１４−４４８５２号公報（第１頁、図３）
【発明の概要】
【発明が解決しようとする課題】
【０００５】
しかしながら、載置状況表示エリアに表示されたアイコンを、使用者が的確かつ迅速に選定できない場合がある。現在誘導加熱調理器の上面部に表示画面を含めた操作部を設けて、操作性を向上させることが主流であるが、トッププレートの上で加熱エリアの面積を確保するため、操作部の平面積（大きさ）に制約がある。このため液晶表示画面等から形成されるタッチ式入力機能を備えた表示画面を大きくすることができず、表示画面の中に表示されるタッチ入力用のアイコンの大きさ（視覚上で認識できる外形寸法）が小さく、例えば視力が弱い使用者にとっては、そのアイコンを素早く識別することが困難な場合も想定され、使い勝手や安全性の面で課題がある。
【０００６】
本発明は、載置状況表示エリアに表示されたアイコンを、使用者が容易に選定し、所望の被加熱物で調理を開始できるようにすることにある。
【課題を解決するための手段】
【０００７】
第１の発明になる誘導加熱調理器は、
被加熱物を載置するトッププレートを上面に有する本体と、
前記本体の内部に収容された複数個の加熱コイルと、
前記加熱コイルに高周波電流を供給するインバーター回路と、
前記加熱コイルの直上に被加熱物が載置されているかどうかを判定する被加熱物載置判定部と、
前記本体の上面に設けた入力操作部と、
前記本体に設けた主電源スイッチと、
前記入力操作部の使用者へ音声で操作に関する情報を報知する音声ガイド装置と、
前記入力操作部、前記インバーター回路及び前記音声ガイド装置を制御する制御装置と、を備え、
前記入力操作部には、タッチ入力のための複数種類のアイコンが表示される表示画面を有し、
前記制御装置は、前記被加熱物載置判定部が被加熱物の載置を判定した結果に基づいて、前記表示画面の表示エリアに第１のアイコンを表示させ、
前記音声ガイド装置は、使用者が前記第１のアイコンにタッチ操作するために参考となる情報を報知し、
前記制御装置は、前記第１のアイコンに使用者がタッチしたことを検知した場合、前記表示画面において加熱調理の条件を選択する第２のアイコンを表示させ、その後第２のアイコンに使用者がタッチしたことを検知することにより、前記第１のアイコンに対応する被加熱物が加熱対象として選ばれ、加熱条件の入力が行えることを特徴とするものである。
【０００８】
この第１の発明の誘導加熱調理器によれば、操作部の表示画面に対応した位置にあるタッチ検知範囲の所定位置に使用者がタッチした場合、使用者が所望の第１のアイコンを選択できるが、仮にそのタッチした位置がアイコンの位置と一致していない場合には、位置のズレが検知されて、音声ガイド装置によって、第１のアイコンの位置を示す情報を前記音声ガイド装置によって報知させるから、載置状況表示エリアに表示された第１のアイコンを、使用者が入力操作部で容易に選定でき、操作性を向上させることができる。
【０００９】
第２の発明になる誘導加熱調理器は、
被加熱物を載置するトッププレートを上面に有する本体と、
前記本体の内部に収容された複数個の加熱コイルと、
前記加熱コイルに高周波電流を供給するインバーター回路と、
前記加熱コイルの直上に被加熱物が載置されているかどうかを判定する被加熱物載置判定部と、
前記本体の上面に設けた入力操作部と、
前記本体に設けた主電源スイッチと、
前記入力操作部使用者へ音声で操作に関する情報を報知する音声ガイド装置と、
前記入力操作部、前記インバーター回路及び前記音声ガイド装置を制御する制御装置と、を備え、
前記加熱コイルは、互いに隣接するように規則正しく配置されており、かつ同一の外径寸法を有したものであり、
前記入力操作部には、タッチ入力のための複数種類のアイコンが表示される表示画面を有し、
前記制御装置は、前記被加熱物載置判定部が、互いに別々の位置にあって少なくとも隣接する２つの加熱コイルの上に第１の被加熱物と第２の被加熱物がそれぞれ載置されている状況と判定した結果に基づいて、前記表示画面の表示エリア内の２カ所に第１のアイコンを同時に表示させ、
前記音声ガイド装置は、使用者が前記第１のアイコンにタッチ操作するために参考となる情報を報知し、
前記制御装置は、前記２カ所の第１のアイコンの内、第１の被加熱物用の第１のアイコンに使用者がタッチしたことを検知した段階で、前記表示画面において第１の被加熱物による加熱調理の条件を選択する第２のアイコンを表示させ、その後第２のアイコンに使用者がタッチしたことを検知することにより、前記第１のアイコンに対応する第１の被加熱物が加熱対象として選ばれ、加熱条件の入力が行え、
さらに前記制御装置は、第１の被加熱物による加熱調理の条件を選択する第２のアイコンを表示させている期間中は、第２の被加熱物による加熱調理の条件を選択する第２のアイコンを表示させないことを特徴とするものである。
【００１０】
この第２の発明の誘導加熱調理器によれば、第１の被加熱物を選ぶため第１のアイコンに対応した表示画面の所定位置を使用者がタッチした場合、その触れた位置と第１のアイコンの位置とが仮に一致していない場合には、音声ガイド装置によって、第１のアイコンの位置を示す情報を前記音声ガイド装置によって報知させるから、載置状況表示エリアに表示された第１のアイコンを、使用者がタッチして容易に選定でき、操作性を向上させることができる。また同時に２か所以上に被加熱物を選定するためのアイコンが表示された場合であっても、第１のアイコンの選択によって第１の被加熱物について加熱調理の条件を選択する第２のアイコンを表示させている期間中は、第２の被加熱物による加熱調理の条件を選択する第２のアイコンを表示させないので、第１の被加熱物の加熱調理条件の設定に、表示画面の表示エリアを有効に利用でき、２つの被加熱物の加熱調理条件の設定場面において使用者に混乱を招くことがない。このため、操作方法が煩雑になることを防ぐことができ、わかりやすい操作を実現することができる。
【発明の効果】
【００１１】
この発明によれば、マルチコイル方式の誘導加熱調理器において、使用者が被加熱物を選定する段階で無用の混乱を招くことがない。このため、操作方法が煩雑になることを防ぐことができ、わかりやすい操作を実現することができる。
【図面の簡単な説明】
【００１２】
【図１】本発明の実施の形態１に係る誘導加熱調理器の外観を示す斜視図。
【図２】本発明の実施の形態１に係る誘導加熱調理器の回路構成を示すブロック図。
【図３】本発明の実施の形態１に係る誘導加熱調理器の平面図。
【図４】図１の誘導加熱調理器の表示画面の動作過程を示す平面図１。
【図５】図１の誘導加熱調理器の表示画面の動作過程を示す平面図２。
【図６】図１の誘導加熱調理器の表示画面の動作過程を示す平面図３。
【図７】図１の誘導加熱調理器の表示画面の動作過程を示す平面図４。
【図８】図１の誘導加熱調理器の表示画面の動作過程を示す平面図５。
【図９】図１の誘導加熱調理器の制御装置の制御動作を示すフローチャート図。
【図１０】本発明の実施の形態２に係る誘導加熱調理器の表示画面の動作過程を示す平面図。
【図１１】図１０の誘導加熱調理器の表示画面とその周辺部を示す平面図１。
【図１２】図１０の誘導加熱調理器の表示画面とその周辺部を示す平面図２。
【図１３】図１０の誘導加熱調理器の制御装置の制御動作を示すフローチャート図。
【図１４】本発明の実施の形態３に係る誘導加熱調理器の表示画面の動作過程を示す平面図。
【図１５】図１４の誘導加熱調理器の制御装置の制御動作を示すフローチャート図。
【図１６】本発明の実施の形態４に係る誘導加熱調理器の平面図。
【図１７】図１６の誘導加熱調理器の制御装置の制御動作を示すフローチャート図。
【図１８】図１６の誘導加熱調理器の表示画面の動作過程を示す平面図である。
【発明を実施するための形態】
【００１３】
実施の形態１．
以下、図１〜図９を参照して、実施の形態１を説明する。実施の形態１は、第１の発明と第２の発明を実施したものである。
【００１４】
図１は、本発明の実施の形態１に係る（厨房家具に組み込まれる形式の）誘導加熱調理器の外観を示す斜視図である。図２は、その誘導加熱調理器の回路構成を示すブロック図である。図３は、図１の誘導加熱調理器の平面図である。図４は、図１の誘導加熱調理器の表示画面の動作過程を示す平面図１である。図５は、図１の誘導加熱調理器の表示画面の動作過程を示す平面図２である。図６は、図１の誘導加熱調理器の表示画面の動作過程を示す平面図３である。図７は、図１の誘導加熱調理器の表示画面の動作過程を示す平面図４である。図８は、図１の誘導加熱調理器の表示画面の動作過程を示す平面図５である。図９は、図１の誘導加熱調理器の制御装置の制御動作を示すフローチャート図である。
【００１５】
（加熱調理器の全体構成）
図１に示すように、本実施の形態１に係る誘導加熱調理器ＣＨは、厨房家具（システムキッチン）（図示せず）に組み込まれて使用されるビルト・イン式又は組込式と呼ばれる形式の誘導加熱調理器であり、箱形の本体部１及び天面部２によって構成されている。
【００１６】
天面部は、本体部１の上面を被うように取付けられるものであり、耐熱性のガラス板等で形成される半透過又は不透明なトッププレート３が本体部１に乗せられて固定されている。
【００１７】
４は、トッププレート３の前方端に近い位置で、その左右の中央部に形成された透明な窓である。この窓に対応して、トッププレート３の下面に近接した位置には、加熱動作状態又は使用者の調理条件設定情報等を表示する液晶表示基板２６（図示せず）が配置され、この液晶表示基板の表示画面部が前記窓４を通して、トッププレート３の上方から目視できるようになっている。５は、天面部２の前方端部に横長配置された上面操作部である。この上面操作部は、誘導加熱調理の各種条件（例えば、火力や加熱時間等）の設定、変更及び加熱動作の開始・停止を指令するためのもので、本発明の「入力操作部」に相当するものである。また後述するグリル部６の加熱調理の各種条件（例えば、火力や加熱時間等）の設定、変更及び加熱動作の開始・停止を指令するためのものである。なお、グリル部６専用の具体的な入力操作キーや押しボタンスイッチ、ダイヤル等は図示していない。
【００１８】
前記トッププレート３の上面（表面）には、物理的な構造物としては現れないが、後述するアイコン２０が表示される表示画面３０が視覚上で現れる。トッププレート３自体の特定部分が発光したり、画像を発生させる訳ではないが、以下の説明では、この表示画面３０を、視認する使用者の立場に立って、「表示画面に表示」という表現を使う。
【００１９】
トッププレート３の上面には、図３に示すように、金属製の鍋やフライパン、調理用鉄板等の被加熱物Ｎ１、Ｎ２を載置して調理するための加熱エリア８が設定されている。図３では、１点鎖線で長方形に示した範囲が加熱エリアである。この加熱エリア８に対応して前記トッププレート３の下方には、直径が数ｃｍ〜１０ｃｍ程度の外形形状が円形の加熱コイル１０が多数規則正しく配置されている。この加熱コイルは、全て同一形状・同一構造（巻き線構造等）、同一の加熱能力（定格最大火力）のものである。つまり、同じ加熱コイルが、前後左右に規則正しく並べられており、各加熱コイル１０は、できるだけお互いに接近するように配置されている。なお、各加熱コイルの中心部は、空洞１０Ａになっており、ここに後述する被加熱物Ｎの載置有無を判定する被加熱物載置検出部１１のセンサー１２が、それぞれ１個ずつ配置してある。また、以後の説明では、複数の被加熱物があり、相互に区別する必要がある場合は、Ｎ１、Ｎ２・・・のような符号を付けるが、被加熱物を総称する場合は「被加熱物Ｎ」と記載する。
【００２０】
図３の平面図では、誘導加熱コイル１０とセンサー１２の配置が分かるように図示しているが、実際にはこれら誘導加熱コイル１０とセンサー１２の上には、トッププレート３があるので、これら部品はトッププレート３上からは目視できない（なお、トッププレート３が、半透明である場合は、多少輪郭が分かる程度見える場合がある）。
【００２１】
マルチコイル方式において、被加熱物Ｎの載置有無を判定する被加熱物載置検出部１１の方式は、既に各種提案があり、詳しくは説明しないが、例えば日本国の特開２０１０−１６５６５６号公報に示されているものが１例である。また、被加熱物Ｎの底面に向けて光を放射してその反射光を使って被加熱物Ｎの存在を検知する光学的センサーを用いることや、誘導加熱コイルに流れる微弱な電流量を検出して被加熱物Ｎの存在を検知する方式等、色々な方式が適用できる。
【００２２】
前記トッププレート３の上面（表面）の前記窓４と対応する長方形のエリアには、視認できるような構造物としては表れないが、例えば透明な薄い誘電膜と、その膜に使用者の指が触れたことを電気的に検知できる微細な検知用電極を縦横に多数配線する等の処理が施され、タッチ用表面構造物としての構造を備えている。つまり、そのような検知用電極が設置された範囲が、後述するタッチ検知範囲３９（図４参照）となっている。言い換えると、タッチ検知範囲３９には、後述する第１のアイコン２０、第２のアイコン６０Ａ〜６０Ｆ等の各種アイコンに、使用者がタッチ操作したかどうかを制御装置２３が判定するための、タッチ位置の座標検出用電極が網目状に配置されている。なお、タッチ式入力プレートについては、抵抗膜方式や静電容量方式等、多数の技術が既に周知であるので、詳細な説明は省略する。
【００２３】
前記トッププレート３において、前記窓４と対応する長方形のエリアは、前記したように表示画面３０として機能しており、使用者が文字や図形等の表示情報を容易に視認できるエリアである。この表示エリアは、以下述べるように３つの表示エリア４０、４１，４２を含んでいる（図４参照）。
【００２４】
すなわち、４０が、後述する第１のアイコン２０（２０Ａ、２０Ｂ）が表示される第１の表示エリアである。また４１と４２は、前記第１の表示エリア４０以外の第２、第３の表示エリアである。第１の表示エリアは、広いトッププレート３の上の加熱エリア８全体をカバーするため、第２、第３の表示エリア４１、４２よりも遥かに広い面積が設定されており、この面積が縮小して、あるいは変形して表示されることはない。また使用者がタッチ操作で加熱すべき被加熱物Ｎを特定する前は、使用者が前記上面操作部５を操作しても、前記第１の表示エリア４０の面積を縮小させ、あるいは変形させ、移動させて表示させることはできず、常に所定の位置で一定の面積で表示される第１の表示エリア４０の中で、第１のアイコン２０Ａ、２０Ｂや第２のアイコン６０Ａ〜６０Ｆ等をタッチすることができる。
【００２５】
前記タッチ検知範囲３９には、前記第１の表示エリア４０と第２の表示エリア４１が対応している。なお、図４では、隣接しない加熱コイル１０の上に、２つの被加熱物Ｎ（Ｎ１、Ｎ２）が置かれた場合を示しており、加熱すべき被加熱物Ｎを特定するための第１のアイコン２０は、左側に表示された第１のアイコン２０Ａと、右側に表示された第１のアイコン２０Ｂ、の２つである。以下、これら２つ以上の第１のアイコンを総称する場合は、第１のアイコンとして符号は２０を用いる。
【００２６】
前記表示画面３０のタッチ検知範囲３９の部分から、使用者がタッチ操作で加熱すべき被加熱物Ｎの特定や、火力等の調理条件を設定できるので、前記上面操作部５は、この表示画面３０の部分を含めたものである。このため、上面操作部５の範囲は、図１と図３に破線で示した通りである。
【００２７】
図２において、３７は、前記表示画面３０の液晶表示基板を駆動する駆動回路であり、液晶表示画面へ電源供給を行う。
【００２８】
このように、この実施の形態１に示しているように、この発明の特徴は、第１の表示エリア４０を利用して、被加熱物Ｎが置かれた位置を使用者が明確にイメージできるようになっている。つまり加熱エリア８に対する被加熱物Ｎの載置位置は、表示画面３０の中でほぼ左右方向は実際の左右位置と対応した位置で、第１の表示エリア４０の中に、第１のアイコン２０で表示されるために、被加熱物Ｎの実際の載置位置と、表示画面３０の中の第１のアイコン２０Ａ、２０Ｂのイメージとが合致しやすい。  
【００２９】
図３に示したトッププレート３の（加熱エリア８）縦方向寸法と横方向寸法は、１：２程度であるのに対し、図４に示した表示画面３０の中の第１の表示エリア４０の縦方向寸法Ｘと横方向寸法Ｙは、１：３程度である。つまり第１の表示エリアは、実際のトッププレート３の縦横比に比べて、縦方向が圧縮された形になっているが、これは、縦方向（つまり、使用者から見た手前側と、奥側）には、被加熱物Ｎを複数個並べて同時に調理されるケースは殆どなく、むしろ横方向に並べて載置されるケースが多いので、横方向をより明確に識別できるようにしたためである。第１の表示エリアを、トッププレート３の（加熱エリア８）縦横比と同じにし、つまり相似形にしても何ら支障はない。
【００３０】
隣接した４つの加熱コイル１０の上に１つの被加熱物Ｎ１が載置された場合には、図４の左側部分に示すように、被加熱物Ｎ１の底面の形状は円形の図形２０Ｎ１で模式的に表現され、また加熱動作する可能性のある加熱コイル１０は破線の円形イメージ図４６で表現され、これらの図形を含めて第１のアイコン２０Ａと呼ぶ。また隣接した６つの加熱コイル１０の上に１つの被加熱物Ｎ２が載置された場合には、図４の右側部分に示すように、被加熱物Ｎ２の底面の形状は楕円形の図形２０Ｎ２で表現され、６つの加熱コイル１０は破線の円形イメージ図４６で表示され、これら図形を含めて第１のアイコン２０Ｂと呼ぶ。なお、図形２０Ｎ１と２０Ｎ２を総称する場合、２０Ｎと符号を付ける。
【００３１】
隣接した複数の加熱コイル１０の上に１つの被加熱物Ｎが載置された場合には、前述したように、加熱コイル１０のイメージ図４６と、被加熱物Ｎのイメージ図２０Ｎから構成された第１のアイコン２０（２０Ａ、２０Ｂ）がトッププレート３の前方端部にある表示画面３０に現れるが、これらイメージ図の相対的大きさは、実際の加熱コイル１０と被加熱物Ｎの相対的大きさと完全に合致しなくとも良い。むしろ、使用者には、自分がトッププレート３の上に鍋等の被加熱物Ｎを置いた場合は、その位置は大体分かっているので、表示画面３０では、視認性を上げるため、使用者が指先でタッチできるように可能な限り大きなもので目立つように表示して良い。
【００３２】
前記本体部１は、複数枚の金属製薄板を、スポット溶接やネジ止めという固定手段で繋ぎ合せて箱状に形成され、かつ上面が開口した本体筐体１Ａを有している。この筐体１Ａの内部には、前記トッププレート３の下面に出来るだけ接近するよう、上部に前記した誘導加熱コイル１０が規則的に並べて配置されている。そして、本体部１の前面部右側には、プラスチック製の上部飾り板１３と、プラスチック製の下部飾り板１４があり、これら２つの飾り板１３、１４は、筐体１Ａの前面壁（図示せず）にネジ等によって、それぞれ個別に取り付けられている。なお、この上部飾り板１３の部分に、後述する主電源スイッチ１５の操作ボタン１５Ａや、誘導加熱調理時の火力調節ダイヤル（図示せず）を設けても良い。
【００３３】
前記本体１の内部空間の左側には、グリル部６のグリル室（グリル庫ともいう。図示せず）が配置されている。そのグリル室は、金属製の板で区画形成されている。前記筐体１Ａの前面部左側には、前記グリル室の前面開口部を開閉自在に覆うグリル扉６Ａが前記本体１にレール機構で支えられて開閉自在（前後方向に移動自在）に設置されている。
【００３４】
さらに、筐体１Ａの後部右角側には、第１の吸気口１６が形成されている。この吸気口１６が、前記グリル室と誘導加熱コイル１０から構成された加熱源及び前記表示画面３０や制御用回路基板（図示せず）、高周波電力供給用の回路基板（図示せず）並びに、誘導加熱コイル１０を冷却するための冷却風の吸気口になっている。なお、その冷却風を発生するための電動送風機は、図示していないが、筺体１Ａの内部に設置されている。また筺体１Ａの背面には、第１の吸気口１６と同様な目的で第２の吸気口（図示せず）が設けてある。
【００３５】
さらに、筐体１Ａの後部右側の上面には、本体部１内部に導入された前記冷却風を排気するための排気口１７が形成されている。また筐体１Ａの後部左側の上面には、前記グリル室からの熱気を、その上昇流により自然に排気するための排気口１８が形成されている。なお、２つの排気口１７、１８は、使用者の指やその他の異物が入らないように、全体が金属製の網や鎧戸等で覆われている。
【００３６】
図１において、１５Ａは、前記上面操作部５に配置した操作ボタンであり、これを押すことにより後述する主電源スイッチ１５を開閉（ＯＮ・ＯＦＦ）できる。
【００３７】
（誘導加熱調理器の制御部）
図２において、２１は２００Ｖの商用電源に繋がる電源線、１５は使用者によって前記操作ボタン１５Ａにより開閉操作される主電源スイッチ、２２はこの主電源スイッチを介して電気エネルギーが供給される電源回路、２３は所定の定圧電流が供給されるマイクロ・コンピュータを中心に構成される制御装置である。前記マイクロ・コンピュータは、入力部と、出力部と、記憶部と、ＣＰＵ（演算制御部）の４つの部分から構成され、その記憶部には、各種調理メニューに対応した通電制御プログラムが予め記憶（格納）されている。また、前記マイクロ・コンピュータの記憶部（ＲＯＭ、ＲＡＭ）とは別に、異常監視情報を記録する大容量の記憶装置２３Ｒを内蔵している。
【００３８】
誘導加熱コイル１０による誘導加熱調理とグリル部６の電気輻射熱調理の何れにおいても、電気的な異常状態の有無の監視が制御装置２３によって実施されている。さらに制御装置２３は、異常検知手段ＥＳの一部を構成する温度検出回路２４から温度情報を得て、調理器の主要な部分が異常な高温度になっていないかどうかを監視している。例えば前記表示手段（表示画面）３０は、第１の表示エリア４０〜第３の表示エリア４２で１つの画面を形成するため、１つの液晶表示基板を主体に構成されているが、比較的熱に弱いので、所定温度（例えば６０℃）を超えないように温度検出回路２４を通じて監視しており、前記所定温度を超えた時点で異常予備状態と制御装置２３によって判定される（なお、６０℃〜６５℃の範囲にある場合に限る）。この異常予備状態では直ちに加熱動作は停止せず、筺体１Ａの内部空間を冷却している前記電動送風機（冷却ファン）の送風能力を上げることで改善する。しかし６５℃を超えた時点で異常状態と制御装置２３によって判定され、直ちに加熱動作を停止するため、例えば駆動しているインバーター回路２５（後述する）の電源供給を遮断する。
【００３９】
そして、少なくともこのような異常予備状態から緊急停止までの期間における誘導加熱調理器の主要な部分（一例として前記した表示画面３０の温度）の異常監視データが、制御装置２３の記憶部２３Ｒの中に、時系列で順次格納される。なお、記憶部２３Ｒに記憶される異常監視データは、主電源スイッチ１５を入れた時点から取得開始され、調理を停止するまでの電気的、物理的変化の履歴が反映されたものとなる。そのため、その後選択した調理メニュー（後述する、「湯沸し」、「煮込み」、「揚げ物」など）や、誘導加熱の火力の情報も、時系列で記録される。途中で異常状態が原因で緊急停止した場合は、その時点まで異常監視データが前記記憶装置２３Ｒに保存されることになる。なお、前記調理メニュー（湯沸し、煮込み等）を選定する場合、「調理モードを選定する」と呼ぶ場合がある。
【００４０】
図２において、２５は、前記誘導加熱コイル１０に高周波電流を供給するためのインバーター回路である。誘導加熱コイル１０は共振コンデンサーＣ等が接続された周知の共振回路の中に接続されている。なお、インバーター回路２４は、複数個設けても良い。例えば、前記誘導加熱コイル１０が合計４０個ある場合、それらを２０個ずつの２つのグループに分け、第１のグループを第１のインバーター回路が担当し、第２のグループを第２のインバーター回路が担当するようにしても良い。更に多くのインバーター回路を設けても良い。
なお、複数のインバーター回路２５を設ける場合、前記制御装置２３によって互いに独立して駆動されるようにし、不要なインバーター回路２５が駆動されないようにする。つまり各加熱コイル１０の単位で誘導加熱の制御ができるようになっている。
【００４１】
２７は前記グリル部６のグリル庫内部に複数個設置した輻射式電気ヒーター、例えばシーズヒーター２６を駆動する駆動回路である。前記シーズヒーター２６は例えばグリル庫内部の天井付近と底面付近にそれぞれ水平に設置されている。
【００４２】
２８は、前記グリル庫から排気口１８に至る排気ダクト（図示せず）の入口部又はその途中に設置された触媒（図示せず）を加熱することによって、グリル庫から放出される煙の除去作用を促進するための触媒ヒーターであり、触媒（図示せず）を加熱することで酸化還元作用を促進する。２９は、その触媒ヒーターの駆動回路である。
【００４３】
３１は、電子的に作成した音声を合成する音声合成装置であり、使用者に対する操作の案内や、異常発生時の警告報知などをスピーカー３２から音声でその都度報知する。この音声合成装置は、本発明でいう「音声ガイド装置」に相当する部分である。
【００４４】
２４は温度検出回路である。この温度検出回路は、前記誘導加熱コイル１０によって加熱されるトッププレート３上の被加熱物Ｎの温度や、そのトッププレート３の温度、グリル庫内部の雰囲気温度、インバーター回路２５、表示画面３０等を検知するための複数個の温度センサー（図示せず）から温度検知情報を受け取り、温度検出結果を制御装置２３に送る。前記温度センサー（図示せず）は赤外線センサーのような非接触型、あるいはサーミスタのような接触型の何れであっても良く、それらを単独で、又は組み合わせて使用している。
【００４５】
３３は、前記グリル庫の内部に高温蒸気を供給する蒸気供給装置であり、高温蒸気によってグリル庫で蒸し調理ができる。
【００４６】
３４は、リアルタイム・クロックとも呼ばれている時計回路であり、主電源スイッチ１５に繋がる電源回路とは別の専用電源（内蔵電池）ＢＴ１から電源が供給され、長期間に亘って駆動されるようになっている。これは例えば電波時計でも良く、常に制御装置２３から求めがあれば、現在の日にちと正確な時刻を秒単位で知らせるものであり、この誘導加熱調理器の製造段階で正しい日時にセットされている。従って、誘導加熱調理器ＣＨの主電源スイッチ１５を切り、その後再度主電源を投入しても、この時計回路の時刻情報を影響受けず、常に最新の正しい時刻を制御装置２３に伝える機能がある。このため、前記制御装置２３の記憶装置２３Ｒに記録される異常監視情報も、常に正確な時間が同時に記録されて保存されることになる。これにより後で保存されているデータを専門の保守修理業者やメーカが分析する際に、時間経過が正確に把握できる。
【００４７】
３５は地震発生時の揺れを検知する感振機器であり、所定の震度（加速度）以上を感知した場合、振動感知信号を前記制御装置２３に送り、制御装置２３ではその信号を受けて地震発生と判断し、使用中の全ての加熱手段の電源供給を瞬時に遮断する動作を行う。
【００４８】
図２において、３６は、被加熱物Ｎの材質検知（判定）手段であり、また誘導加熱コイル１０に流れる電流検知手段である。なお、インバーター回路２５の上流にある電源回路２２からも入力電流の情報がインプットされるようになっている。なお、このように入力側電流と高周波出力側の電流を比較して、被加熱物Ｎの材質を判定することは周知であるので、詳しい説明は省略するが、この材質検知（判定）手段によって、被加熱物Ｎが、アルミや銅等の非磁性材料で形成されているか、又は鉄やステンレス等の磁性材で形成されているかが判定できる。
【００４９】
図２において、１１は、前記加熱コイル１０の直上に被加熱物Ｎが載置されているかどうかを判定する被加熱物載置判定部である。この判定部には、各加熱コイル１０に対応してセンサー１２が配置されている。そのセンサーは、前記したように光学式センサーを用いているが、これ以外の方式を用いても良い。
【００５０】
前記センサー１２は、各加熱コイル１０の中心部に確保された空洞部に１つずつ設置されている。なお、隣接する２つの加熱コイル１０の間に設けたり、隣接する４つの加熱コイル１０の中央部に１つずつ設けたり変更しても良い。図３においては、隣接する４つの加熱コイル１０の中央部に１つずつセンサー１２Ｂを設けた例も示しているが、１２Ａ、１２Ｂの両方の設置は必須ではない。
【００５１】
誘導加熱可能な被加熱物Ｎの底面直径を、加熱コイル１０の外径程度まで小さいものにする場合には、加熱コイル１０の中心部にセンサー１２を配置することが望ましいが、直径が数ｃｍのような小さい鍋底を有する被加熱物を使用するケースは、現実的には殆どないので、この実施の形態１では、加熱できる最小の被加熱物Ｎは、その底面最大直径が１８ｃｍ〜２０ｃｍ程度であり、少なくとも４つの加熱コイル１０の上方を１つの被加熱物Ｎ１が覆うような関係にある。そのため隣接する２つの加熱コイル１０の間に前記センサー１２を設けるように変更もできる。
【００５２】
また図３に破線で示した左側の被加熱物１は、トッププレート３に接する底面の最大直径が２２ｃｍ程度であり、底面形状が真円に近いが、同じ図３に破線で示した右側の被加熱物Ｎ２は、トッププレート３に接する底面の最大直径が３０ｃｍ程度であり、底面形状が楕円形に近い。このように楕円形や長方形の底面形状を有する被加熱物Ｎ２も、誘導加熱できるようになっている。
【００５３】
図４において、４５は、前記被加熱物Ｎを選択する場合の第１のアイコン２０が表示された操作段階で、使用者に当該アイコン２０にタッチして鍋等の被加熱物Ｎを選択することを促すため、文字情報４５Ａを表示するアドバイス情報表示部（ガイドエリア）であり、前記第３の表示エリア４２に、適宜現れる。
【００５４】
図４において、４６は、前述したように、被加熱物Ｎがトッププレート３の加熱エリア８の上に載置された場合に表示される加熱コイル１０のイメージ図である。４８は、被加熱物Ｎがトッププレート３の加熱エリア８の上に載置された場合、その位置の概略を文字で示す位置表示情報であり、前記トッププレート３の加熱エリア８の左右中心線ＣＬより左側範囲に載置された場合は「左」と表示され、また左右中心線ＣＬの上に置かれた場合には「中央」と表示される。これら表示は、被加熱物載置判定部１１が、被加熱物Ｎが真上にあることを検知した加熱コイル１０の位置（座標）の情報を制御装置２３に送信し、制御装置２３が情報処理して位置の情報を表示画面３０へ送信することによって表示される。
【００５５】
図４において、４９は、被加熱物Ｎがトッププレート３の加熱エリア８の上に載置された順番を示す順番情報である。最も直近に置かれた被加熱物Ｎ１の第１のアイコン２０Ａには、「最新」と表示される。この表示は、被加熱物載置判定部１１が、被加熱物Ｎが真上にあることを検知した加熱コイル１０からの検知情報を、その都度制御装置２３に送信し、制御装置２３が、その順位を記憶装置に記憶しているので、仮に次々と別の被加熱物Ｎが置かれても、最も後に置いた被加熱物Ｎがどれであるかを表示画面３０の第１のアイコン２０に近接した前記順番情報で確認できる。
【００５６】
図４において、５０は、被加熱物Ｎがトッププレート３の加熱エリア８の上に載置されて第１のアイコン２０が表示されたタイミングで、第２の表示エリア４１に現れるヘルプモード・キー（第４のアイコン）である。このヘルプモード・キーにタッチした場合、第１のアイコンをタッチする段階の使用者に対して、加熱対象の被加熱物Ｎを選択する操作を支援する情報が、前記音声ガイド装置３１から報知される。
【００５７】
図６は、本発明の実施の形態１における誘導加熱調理器において、その表示画面３０の動作過程を示す平面図である。この図６において、ＦＧは使用者の指先を示す。５１は、使用者が第４のアイコン５０に指先ＦＧでタッチした際に、制御装置２３が指先の方向を最初に検知するために表示画面３０（トッププレート３）に設定した左方向の反応領域（検知部）であり、第４のアイコン５０に近接した位置に出現する。同じく５２は、第４のアイコン５０から後方側の隣接位置に設定された後方の反応領域（検知部）である。
【００５８】
図６において、使用者が第４のアイコン５０に指先ＦＧを置いて、そのまま（タッチしたまま）トッププレート３上を、図６に示すように左側へ移動させ、その指先ＦＧが左方向の反応領域（検知部）５１で表示画面３０から離れた瞬間に、制御装置２３は使用者が（左側の）第１のアイコン２０Ａを選択する意図があると判断し、即座に矢印等の誘導マーク（図形）５３を表示画面３０に表示する（このとき、右側の第１のアイコン２０Ｂの表示は消す）。そして指先ＦＧが第１のアイコン２０Ａにタッチしたところで、指先を離すと、制御装置２３は、その指先が離れた座標を検知し、左側の被加熱物Ｎ１が選択されたと判定し、図８に示したように、第２のアイコン６０Ａ〜６０Ｆ、第３のアイコン６５〜６７、第５のアイコン７０等を表示させた画面に切り替える。
【００５９】
次に図７において、使用者が第４のアイコン５０に指先ＦＧを置いて、そのまま（タッチしたまま）トッププレート３上を、図６に示すように後方へ移動させ、後方の反応領域（検知部）５２の位置で、指先ＦＧが反応領域５２を離れた瞬間には、制御装置２３は使用者が右側の第１のアイコン２０Ｂを選択する意図があると判断し、即座に矢印等の誘導マーク（図形）５３を表示画面３０に表示する。誘導マーク（図形）５３が表示された瞬間には、左側の第１のアイコン２０Ａの表示は消される。
【００６０】
図６において、左側の第１のアイコン２０Ａが表示され、右側の第１のアイコン２０Ｂは表示されていないという前提で以下説明する。
この最初の段階で、使用者が第４のアイコン５０に指先ＦＧを置き、その後指先を第４のアイコン５０から離した場合、及び第４のアイコン５０と第１のアイコン２０Ａ以外の部分（但し、タッチ検知範囲３９内）にタッチし、そのまま指先を離した場合、何れも、その指先が離れたタッチ検知範囲３９の中の特定位置の座標情報は、当然第１のアイコン２０Ａの位置座標と異なり、制御装置２３は使用者が第１のアイコン２０Ａを選択したと判定しない。
【００６１】
その場合は、音声ガイド装置３１から、左側の第１のアイコン２０Ａか第２のアイコン２０Ｂの何れか１つにタッチして、加熱希望の被加熱物Ｎを選択するような音声ガイドが実行される。その後、タッチ検知範囲３９の中の第１のアイコン２０Ａ以外の部分を再び使用者がタッチした場合は、再び音声ガイド装置３１が音声で案内し、このような動作を繰り返して第１のアイコン２０Ａにタッチするまで音声ガイド装置３１は使用者に音声で第１のアイコン２０Ａにタッチできるよう参考情報を報知する。
【００６２】
ところで、図４では、使用者が事前に上面操作部５によって、「初心者モード」に設定していたため、第１のアイコン２０が表示されることに同期して、第４のアイコン５０が表示された。このように、上面操作部５の選択操作によって前記音声ガイド装置３１の動作モードを、通常モードと初心者モードの中から、何れかのモードを選択することができる構成になっている。なお、押しボタン式スイッチ等の選択手段を本体部１に設けて、そのスイッチで、動作モードを選択するようにしても良い。初心者モードに設定した場合は、通常モードよりも、音声ガイド装置３１の音声ガイド内容は詳細に行われる。また表示画面３０においても、初心者モード特有の表示が行われる。なお、このような初心者モードと通常モードを選択できる加熱調理器の技術は、例えば日本特許公開公報（２００９−２４３７７１、２００９−１９３８２２）で既に知られている。
【００６３】
使用者が「通常モード」に設定していた場合には、図５に示しているように、第１のアイコン２０が表示されることに同期して、第４のアイコン５０は表示されない。つまり、習熟した使用者では、被加熱物Ｎの鍋等をトッププレート３の上に置いたあと、第４のアイコンに頼らず、第１のアイコン２０に迷わずタッチできる（但し、習熟した使用者ではあるが、その者が、例えば視力が悪い場合は、１回のタッチで確実に第１のアイコン２０にタッチできない場合が有り得る）。
【００６４】
次に図８について説明する、図８は、図１の誘導加熱調理器の表示画面３０の動作過程を示す平面図である。すでに図４〜図７で説明した過程を経て、第１のアイコン２０の選択をした後の状態を示している。
【００６５】
図８において、６０は、第１の表示エリア４０（図４参照）の中に表示される火力設定用のアイコン表示エリアである。この表示エリアには、誘導加熱調理時の加熱能力（火力ともいう）を指定する６段階の火力用アイコン６０Ａ〜６０Ｆ（第２のアイコン）が表示される。最小火力用のアイコン６０Ａから最大火力用のアイコン６０Ｆまでが一列に並んでいる。最小火力は例えば１５０Ｗ、最大火力は３０００Ｗである。但し、１つの被加熱物Ｎの加熱に使用される加熱コイル１０の数によって、実際に制御装置２３が指令する最大火力値や最小火力値は変化する。
【００６６】
図８において、６１、６２は、ワンタッチ式の火力用アイコン６０Ａ〜６０Ｆによって火力を設定したあとで、その火力を増大又は減少させることができる調整アイコンである。例えば火力の段階を示す「５」という数字が表示された火力用アイコン６０Ｃにタッチし、第５段の火力値に設定したあと、その火力を1段階下げたい場合には、マイナスの表示のある「火力下げ」の調整アイコン６１にタッチする。逆に火力上げる場合は、調整アイコン６２にタッチすれば良い。なお、火力は１１段階しか設定できないので、調整アイコン６１、６２は、１回の調整しかできず、例えば、最小火力１と火力３の中間火力「２」を設定することしかできない。６３は、火力設定のアイコンであることを示す文字情報であり、アイコンではない。これら火力用アイコン６０Ａ〜６０Ｆ及び調整アイコン６１、６２は、本発明でいう「第２のアイコン」の１つである。
【００６７】
図８において、６５、６６、６７は、前記表示画面３０において第２のアイコン２０を表示させた段階で、加熱コイル１０の駆動パターンを選択できる調理モードのアイコン（第３のアイコン）である。このアイコンも後述するように、必要なタイミングで前記制御装置２３によって表示画面３０に表示される。
【００６８】
図８において、６５は、「通常煮込みモード」と文字で表示された煮込みモードの選択用のアイコンである。６６は、「茹でモード」と文字で表示された茹でモードの選択用のアイコンである。６７は、「湯沸かしモード」と文字で表示された湯沸かしモードの選択用のアイコンである。
【００６９】
図８において、７０は、インフォーメーション・キー（第５のアイコン）である。この第５のアイコンにタッチした場合、第２のアイコンをタッチする段階の使用者に対して、加熱コイルの駆動パターンを選択できる調理モードの内容、例えば煮込みモードの場合の加熱コイル１０の駆動パターン（通電パターンともいう）、消費電力量を節約するために加熱調理の調理条件の上手な設定方法、火力を設定する場合の注意点及び加熱調理中の安全上の注意点、の少なくとも何れか１つに関する情報が、前記音声合成装置（音声ガイド装置）３１から報知される。またその報知と同期して、表示画面３０が切り替わり、あるいは表示画面３０の一部の表示エリアが変化し、文字や図形等で表示させても良い。これら調理モードのアイコン（第３のアイコン）６５、６６、６７と、第５のアイコン７０は、前記第１の表示エリア４０（図４参照）の中に表示される。
【００７０】
図８において、７１は、誘導加熱中であることを示す表示情報、７２は、被加熱物Ｎとその加熱に関与する加熱コイル１０の数を示す参考イメージ図である。これら表示情報７１、参考イメージ図７２は、前記第１の表示エリア４０（図４参照）の中に表示されるが、アイコンとしての機能はないので、使用者がタッチしても何の入力もできない。
【００７１】
図８において、７５は、次画面指令キー（第８のアイコン）であり、第２の表示エリア４１の中に表示される。この第８のアイコンは、図８において、火力を設定した場合に現れる。但し、食用油を加熱して行う「揚げ物自動調理」等の調理モード（図８には記載していない）の場合、その調理モードに応じて火力の設定が、制御装置２３の調理制御プログラムにより自動的に行われるので、その場合は、調理モードのアイコン（第３のアイコン）６５、６６、６７に触れ、調理モードを選択した時点で、第８のアイコン７５が表示画面３０に現れる。この第８のアイコン７５が現れた表示画面３０には、図示しないが、前記火力用アイコン６０Ａ〜６０Ｆ及び調整アイコン６１、６２と同様に、ワンタッチによって所望の調理時間を設定できるアイコン、またその設定した時間を延長又は短縮できるアイコン、の双方が表示される（なお、これら時間設定用アイコンは、「第９のアイコン」というが、これは第２のアイコンの１種である）。
【００７２】
この実施の形態１における各種アイコン２０、５０、６０Ａ〜６０Ｆ、６５〜６７、７０等は、何れも使用者が指でタッチした瞬間では、タッチ入力は有効とならず、その後に指を離した瞬間にタッチしたことが確定する方式のタッチスイッチ方式を採用している。なお、このような方式のタッチパネル装置の技術は、周知であり、例えば日本特許公開公報（平成１１−１７５２１２号）で既に知られている。また以下の説明では、タッチ式入力の各種アイコンを使った入力の説明では、タッチすることは記載するが、タッチした状態から離すことは、その都度説明しない。
【００７３】
図８において、８０は、表示画面３０を囲むように、表示画面３０の最外周部に対応してトッププレート３の上面に形成した仕切り枠である。この仕切り枠は、トッププレート３の上面に１〜２ｍｍ程度盛り上がった土手状のものである。この仕切り枠８０の目的は、視力の弱い使用者、視覚障害者等が、表示画面３０の位置や輪郭を指先で感知できるようにしたものである。耐熱性の樹脂やゴム等、電気絶縁性の材料から形成されて、トッププレート３の上面に接着されている。
【００７４】
前記仕切り枠８０の中の右側隅角部に、前記した第４のアイコン５０と第５のアイコン７０が表示されるため、使用者は表示画面３０の右隅角部に指先をスムーズに置くことができる。このため、視力の弱い使用者、視覚障害者等であっても、音声ガイド装置３１が、第４のアイコン５０や第５のアイコン７０に指先を誘導できる。例えば、音声ガイド装置３１が「表示画面の中の右下隅に、案内用のキーが表示されているので、それに触れて下さい。その後。直ぐに鍋の位置を示すアイコンにタッチできるよう、音声で案内します」というような音声ガイドを行うために、この仕切り枠８０は、指先を案内する（基準となる）出発点を示す重要な機能を果たす。
【００７５】
図１〜図９には図示していないが、前記第１〜第５のアイコンの他に、表示画面３０には前記制御装置２３に対して誘導加熱動作の開始を指令するスタートキー（第６のアイコン７３）と、誘導加熱動作の停止を指令するストップキー（第７のアイコン）７４が適宜タイミングで表示される。なお、スタートキー（第６のアイコン７３）は、第８のアイコン７５が表示画面３０に現れた表示画面３０に表示されるので、火力と時間の双方がインプットできた段階で、使用者は加熱調理開始の指令を制御装置２３に与えることができる。
【００７６】
次に図９について説明する。図９は、図１の誘導加熱調理器ＣＨの制御装置２３の制御動作を示すフローチャート図である。
図９において、Ｓ１〜Ｓ２１が、制御装置２３の中核を構成するマイクロ・コンピュータの制御プログラムに基づく各動作ステップである。
【００７７】
以下、スタートＳ１から順に説明する。前記主電源スイッチ１５の操作ボタン１５Ａを押すと、主電源スイッチ１５が閉じられる（Ｓ２）。
ステップＳ２で主電源スイッチ１５が閉じられたことが制御装置２３で検知されると、表示画面を構成する液晶表示画面の電源回路等が駆動回路３７によって駆動され、表示画面３０が起動される。また被加熱物載置判定部１１と、被加熱物Ｎの材質検知（判定）手段３６も起動される。さらに音声ガイド装置３１も起動され、使用者に対して、加熱調理に使用する被加熱物Ｎをトッププレート３の上に置くように案内する（Ｓ３）。
【００７８】
使用者が、１つの被加熱物Ｎ１、例えば底面が円形の金属製鍋をトッププレート３の上に置くと、被加熱物載置判定部１１が、どの加熱コイル１０の上に被加熱物Ｎが置かれたのかを調べる。前記したように、各加熱コイル１０には、その中心部にセンサー１２Ａが配置されている（４つの隣接する加熱コイル１０の中央部にも、さらに別のセンサー１２Ｂがある）ため、被加熱物Ｎ１の真下の位置にある加熱コイル１０に配置したセンサー１２Ａからの検知信号で、被加熱物載置判定部１１が被加熱物Ｎ１の存在を検知する（Ｓ４）。なお、規定の大きさよりも小さな金属物、例えばスプーン等は、この段階では被加熱物Ｎと判別されない。
【００７９】
次に、被加熱物Ｎの存在が検知された場合、ステップＳ５に進み、被加熱物Ｎの載置位置と材質判定が行われる。非常に大きな鉄板が置かれたような場合（例えば、隣接する１０個の加熱コイル１０を覆うような面積の鉄板が置かれている場合）には、加熱に不適当な被加熱物Ｎと判定される。また全体や、底面の相当な面積を占める部分が、銅やアルミのような非磁性材料で形成されていると判定された被加熱物Ｎも不適当な被加熱物Ｎと判定され、エラー表示のステップ（Ｓ２０）に進み、前記表示画面３０では、その旨表示され、また音声ガイド装置３１からも使用できない被加熱物Ｎであると報知する。
【００８０】
前記ステップＳ５の判定でＯＫになった場合、次に、被加熱物Ｎの載置位置を、表示画面３０において模式的、イメージ的に示すため、被加熱物Ｎの概略的な載置位置を示すための第１のアイコン２０Ａが表示される（Ｓ７）。この第１のアイコン２０が表示された状態は、例えば図４に示している（但し、１つの被加熱物Ｎだけを置いた状態では、右側の第１のアイコン２０Ｂは表示されない）。
【００８１】
前記音声ガイド装置３１は、第１のアイコン２０にタッチして、被加熱物Ｎを選択する操作を要求する（Ｓ８）。１つの被加熱物Ｎを置いたとしても、使用者は直ぐに加熱調理を開始する意図があるかどうか制御装置２３では不明であるため、このようなステップＳ８を設けている。例えば、使用者が誘導加熱調理をする意図で、１つの被加熱物Ｎを置いたが、その後、被加熱物Ｎに野菜や肉、スープ等の被調理物を入れたり、トッププレート３の上に置いてあった別の調理器具を移動されたりする作業をする等、色々な状況が考えられるので、調理条件を直ぐに設定するステップに行くのかどうか、使用者の意思を確認するためのステップである。
【００８２】
次に、制御装置２３は、表示画面３０の何れかの部位に使用者がタッチしたことを検知した場合（Ｓ９）、タッチ検知範囲３９の配置した検知電極からの信号を分析し、タッチした位置の座標と、現在表示している第１のアイコン２０の座標とが一致するかどうかを判定する（Ｓ１０）。
【００８３】
次に、ステップＳ１１では、実質的にタッチ位置と第１のアイコン２０との位置に差異があるかどうかを判定する。ここでいう位置の判定では、第１のアイコン２０とタッチ位置の、双方の位置に対応した座標値が完全に一致しなくとも、許容範囲（反応範囲）の座標を事前に設定してあるので、その範囲内かどうかの判定が行われる。従って指先ＦＧの位置が、多少前後左右にずれても、タッチしたと判定される。
【００８４】
ステップＳ１１の判定の結果、位置に差異はない、との判定になった場合は、次のステップＳ１２に進む。
一方、２つの位置に差異がある、との判定結果であった場合は、ステップＳ１９に進み、音声ガイド装置３１は、タッチ位置が違っている（第１のアイコンから離れている）ことを音声で報知する。この場合、ステップＳ１０では、タッチ位置と第１のアイコン２０との位置にどれだけの差異があるかどうかを座標値で分かっているので、その座標値を一致させるように、直前にタッチした位置を基準にして、もっと右方向か左方向か、あるいは後方にあるか、等の情報も報知して良い。そしてステップＳ９に戻る。
【００８５】
なお、使用者が、初心者モードに設定しておらず、通常モードで使用開始したが、前記ステップＳ１１で位置の差異があると判定された場合、強制的に初心者モードに切り替わり、ステップＳ９の段階で、前記第４のアイコン５０を表示し、図６と図７に示したように、指先の位置を最初は第４のアイコンのある表示画面３０の右前隅部、つまり仕切り枠８０の角部分に指定し、そこから、音声ガイド装置３１によって音声でガイドをしながら、第１のアイコン２０の位置まで指先を案内するようにしても良い。
【００８６】
以上のようなステップを経て、ステップＳ１１で、第１のアイコン２０がタッチされたと判定した直後は、ステップＳ１２に進み、図８に示すように、第２のアイコン６０Ａ〜６０Ｆや第３のアイコン６５〜６７を選択できる表示内容に変化させる。
【００８７】
具体的には、次のステップ１３で、第２のアイコン６０Ａ〜６０Ｆや第３のアイコン６５〜６７によって、火力値を設定して加熱動作開始指令を与えると、被加熱物Ｎの載置位置にある特定の加熱コイル１０だけにインバーター回路２５から高周波電力が供給され、加熱動作が開始される（Ｓ１４）。加熱停止動作が行われ、あるいはタイマー調理と呼ばれている設定時間が超過すると（Ｓ１５）、前記インバーター回路２５は停止する（Ｓ１６）。なお、インバーター回路２５によって誘導加熱している期間中、前記被加熱物Ｎの材質検知（判定）手段３６は、加熱コイルの出力側電流検出も行い、また電源回路２２側の入力電流検出も行い、常に目的とする加熱能力（火力）が発揮されるように、制御装置２３へ検出結果を送信し続ける。そのため、制御装置２３は、インバーター回路２５の出力を目標範囲の中に制御して加熱駆動できる。
【００８８】
インバーター回路２５の停止後、新たな被加熱物Ｎ（例えばＮ２）の載置があったかどうか再び前記被加熱物載置判定部１１に問い合わせる。そして所定時間（例えば１０分間）だけこのまま待機し、被加熱物載置判定部１１からの被加熱物Ｎ（Ｎ２）の載置検知信号が来るのを待つ。
【００８９】
ステップＳ１７で新しい被加熱物Ｎ（Ｎ２）が検知されていない、と判定され、被加熱物Ｎ（Ｎ２）の載置がなかった場合には、次のステップＳ１８へ進む。そしてステップＳ１８では、使用者が主電源スイッチ１５をＯＦＦにするか、あるいはそのまま一定時間（例えば３０分）経過した段階、但し、トッププレート３の温度が安全な温度まで低下したことが、温度検出回路２４によって検出された段階で、主電源スイッチ１５は自動的にＯＦＦされ、終了となる（Ｓ１９）。
【００９０】
しかし、ステップＳ１７で、新たな被加熱物Ｎ２の載置があった場合には、ステップＳ５に戻り、被加熱物Ｎ２の載置位置と材質判定が行われる。
【００９１】
（実施の形態１の総括）
以上の説明から明らかなように、実施の形態１に示した誘導加熱調理器ＣＨは、第１の発明を実施している。
すなわち、実施の形態１における誘導加熱調理器ＣＨは、
被加熱物Ｎを載置するトッププレート３を上面に有する本体部１と、
前記本体部の内部に収容された複数個の加熱コイル１０と、
前記加熱コイル１０に高周波電流を供給するインバーター回路２５と、
前記加熱コイル１０の直上に被加熱物が載置されているかどうかを判定する被加熱物載置判定部１１と、
前記本体部１の上面に設けた入力操作部（上面操作部）５と、
前記本体部１に設けた主電源スイッチ１５と、
前記入力操作部５の使用者へ音声で操作に関する情報を報知する音声ガイド装置３１と、
前記入力操作部５、前記インバーター回路２５及び前記音声ガイド装置３１を制御する制御装置２３と、を備え、
前記入力操作部５には、タッチ入力のための複数種類のアイコンが表示される表示画面３０を有し、
前記制御装置２３は、前記被加熱物載置判定部１１が被加熱物Ｎの載置を判定した結果に基づいて、前記表示画面３０の第１の表示エリア４０に第１のアイコン２０を表示させ、
前記音声ガイド装置３１は、使用者が前記第１のアイコン２０にタッチ操作するために参考となる情報を報知し、
前記制御装置２３は、前記第１のアイコン２０に使用者がタッチしたことを検知した場合、前記表示画面３０において加熱調理の条件を選択する第２のアイコン６０Ａ〜６０ＡＦを表示させ、その後第２のアイコンに使用者がタッチしたことを検知することにより、前記第１のアイコン２０に対応する被加熱物Ｎが加熱対象として選ばれ、加熱条件の入力が行えることを特徴とするものである。
【００９２】
従って、この実施の形態１の誘導加熱調理器によれば、入力操作部５の表示画面３０に対応した位置にあるタッチ検知範囲３９の所定位置に使用者がタッチした場合、使用者が所望の第１のアイコン２０を選択できるが、仮にそのタッチした位置がアイコン２０の位置と一致していない場合には、位置のズレが検知されて、音声ガイド装置３１によって、第１のアイコン２０の位置を示す情報を報知させるから、表示画面３０の載置状況表示エリア（第１の表示エリア）４０に表示された第１のアイコン２０を、使用者が上面操作部５において容易に選定でき、操作性を向上させることができる。
【００９３】
また、以上の説明から明らかなように、実施の形態１に示した誘導加熱調理器ＣＨは、第２の発明を実施している。
すなわち、実施の形態１における誘導加熱調理器ＣＨは、
被加熱物Ｎを載置するトッププレート３を上面に有する本体部１と、
前記本体部１の内部に収容された複数個の加熱コイル１０と、
前記加熱コイル１０に高周波電流を供給するインバーター回路２５と、
前記加熱コイル１０の直上に被加熱物が載置されているかどうかを判定する被加熱物載置判定部１１と、
前記本体部の上面に設けた入力操作部５と、
前記本体部１に設けた主電源スイッチ１５と、
前記入力操作部５の使用者へ音声で操作に関する情報を報知する音声ガイド装置３１と、
前記入力操作部５、前記インバーター回路２５及び前記音声ガイド装置３１を制御する制御装置２３と、を備え、
前記加熱コイル１０は、互いに隣接するように規則正しく配置されており、かつ同一の外径寸法を有したものであり、
前記入力操作部５には、タッチ入力のための複数種類のアイコン２０、６０が表示される表示画面３０を有し、
前記制御装置２３は、前記被加熱物載置判定部１１が、互いに別々の位置にあって少なくとも隣接する２つの加熱コイル１０の上に第１の被加熱物Ｎ１と第２の被加熱物Ｎ２がそれぞれ載置されている状況と判定した結果に基づいて、前記表示画面３０の表示エリア（第１の表示エリア４０）内の２カ所に第１のアイコン２０Ａ、２０Ｂを同時に表示させ、
前記音声ガイド装置３１は、使用者が前記第１のアイコン２０Ａ、２０Ｂにタッチ操作するために参考となる情報を報知し、
前記制御装置２３は、前記２カ所の第１のアイコン２０Ａ、２０Ｂの内、第１の被加熱物Ｎ１用の第１のアイコンに使用者がタッチしたことを検知した段階で、前記表示画面３０において第１の被加熱物Ｎ１による加熱調理の条件を選択する第２のアイコン６０を表示させ、その後第２のアイコン６０に使用者がタッチしたことを検知することにより、前記第１のアイコンに対応する第１の被加熱物Ｎ１が加熱対象として選ばれ、加熱条件の入力が行え、
さらに前記制御装置２３は、第１の被加熱物Ｎ１による加熱調理の条件を選択する第２のアイコン６０を表示させている期間中は、第２の被加熱物Ｎ２による加熱調理の条件を選択する第２のアイコン６０を表示させないことを特徴とするものである。
【００９４】
従って、この実施の形態１の誘導加熱調理器によれば、第１の被加熱物Ｎ１を選ぶため第１のアイコン２０Ａに対応した表示画面３０の所定位置を使用者がタッチした場合、その触れた位置と第１のアイコン２０Ａの位置とが仮に一致していない場合には、音声ガイド装置３１によって、第１のアイコン２０Ａの位置を示す情報を前記音声ガイド装置３１によって報知させるから、載置状況表示エリア（第１の表示エリア４０）に表示された第１のアイコン２０Ａを、使用者がタッチして容易に選定でき、操作性を向上させることができる。また同時に２か所以上に被加熱物を選定するためのアイコン２０Ａ、２０Ｂが表示された場合であっても、第１のアイコン２０Ａ、２０Ｂの選択によって第１の被加熱物Ｎ１について加熱調理の条件を選択する第２のアイコン６０を表示させている期間中は、第２の被加熱物Ｎ２による加熱調理の条件を選択する第２のアイコン６０を表示させないので、第１の被加熱物Ｎ１の加熱調理条件の設定に、表示画面３０の表示エリアを有効に利用でき、２つの被加熱物Ｎ１、Ｎ２の加熱調理条件の設定場面において使用者に混乱を招くことがない。このため、操作方法が煩雑になることを防ぐことができ、わかりやすい操作を実現することができる。
【００９５】
（実施の形態１の細部の意義）
実施形態１の具体的な構成により、以下述べるような副次的効果も期待できる。
（１）：制御装置２３は、制御動作を行うマイクロ・コンピュータを備え、使用者によって主電源スイッチ１５が投入された段階で前記マイクロ・コンピュータの制御プログラムを起動し、被加熱物載置判定部１１を起動して、被加熱物Ｎの載置状況を前記表示画面３０において第１のアイコン２０で表示させ、前記アイコン２０の表示後に、前記音声ガイド装置３１によって前記第１のアイコン２０にタッチ操作するために参考となる情報（例えば、タッチした位置から見て、第１のアイコン２０のある方向）を報知するから、使用者は仮に最初のタッチ位置を間違えても、音声ガイド装置３１によって音声でガイドされるので、安心感が増し、また操作性を向上させることができる。
【００９６】
（２）：前記制御装置２３は、前記第１のアイコン２０に使用者がタッチしたことを検知した段階で、前記表示画面３０において当該第１のアイコン２０の表示を消し、加熱調理時の火力レベルをタッチ操作で選択できる複数個の火力キー（６０Ａ〜６０Ｆ：火力用アイコン）を第２のアイコンとして表示させているので、第１のアイコン２０にタッチした以後、不要になった当該アイコン２０を消して表示画面の表示エリアを確保し、重要な調理条件である火力設定に利用できる。このため、表示画面の表示がシンプルになり、使用者の操作性を向上させることが期待できる。
【００９７】
（３）：前記制御装置２３は、前記第１のアイコン２０に使用者がタッチしたことを検知した段階で、前記表示画面３０において当該第１のアイコン２０の表示を消し、加熱調理時の加熱時間がタッチ操作で選択できる複数個の時間設定キーを第２のアイコンとして表示させることができる。このため、第１のアイコン２０にタッチした以後、不要になった当該アイコン２０を消して表示画面の表示エリアを確保し、重要な調理条件である加熱調理時間の設定に利用できる。このため、表示画面の表示がシンプルになり、使用者の操作性を向上させることが期待できる。
【００９８】
（４）：被加熱物Ｎの載置状況を前記表示画面３０において第１のアイコン２０で表示させた後、前記音声ガイド装置３１は、前記表示画面３０の特定位置（第４のアイコン５０）から前記第１のアイコン２０の表示位置まで指先を誘導する情報を報知することができる構成である。このため、誘導加熱調理器の使用に不慣れな使用者や、視力障害があって、第１のアイコン２０が明確に視認できない使用者等であっても、第１のアイコン２０の表示位置まで指先を誘導し、使用者の安心感、操作性を向上させることが期待できる。
【００９９】
（５）：前記制御装置２３は、前記表示画面３０において第１のアイコン２０を表示させた段階で、第１のアイコン２０にタッチすることを勧める情報又は操作上の注意事項を示す情報の少なくとも何れか１つを、ガイドエリア４５にて文字等で表示させる。このため、誘導加熱調理器の使用に不慣れな使用者や、聴力障害があって、第１のアイコン２０の意味や操作ステップが明確に理解できない使用者等であっても、第１のアイコン２０が表示されたときに、使用者のタッチ操作を促し、使用者の安心感、操作性を向上させることが期待できる。
【０１００】
（６）：使用者の選択操作によって前記音声ガイド装置３１の動作モードを、通常モードと初心者モードの中から何れかのモードを選択する手段を備え、前記音声ガイド装置３１は、初心者モードの場合、使用者が前記第１のアイコン２０にタッチ操作するために参考となる情報を報知するので、誘導加熱調理器の使用に不慣れな初心者であっても、第１のアイコン２０が表示されたときに、使用者のタッチ操作を支援し、使用者の安心感、操作性を向上させることが期待できる。
なお、実施の形態１では、表示画面３０においても、視覚情報として図６に示した誘導マーク５３を表示するので、使用者の安心感、操作性を更に向上させることが期待できる。
【０１０１】
（７）：前記表示画面３０は、前記加熱コイル１０による誘導加熱領域８の前端よりも手前側に配置されており、前記表示画面３０において、前記第１のアイコン２０は、前記ガイドエリア４５の表示位置よりも常に手前側に表示される構成である。このため、使用者がタッチする第１のアイコン２０の位置は、加熱領域８の前方端から、前記ガイドエリア４５だけ更に手前になり、誘導加熱領域（加熱エリア）８から遠ざかる。これにより、使用者が高温の表示画面に触れることを回避でき、安全性を向上させることが期待できる。
また、第１のアイコンだけではなく、第２のアイコンも同様に前記ガイドエリア４５の手前の位置に表示しているので、更に安全性を向上させることが期待できる。
【０１０２】
（８）：前記表示画面３０には、第４のアイコンであるヘルプモード・キー５０が表示され、当該ヘルプモード・キーにタッチした場合、第１のアイコン２０をタッチする段階の使用者に対して、加熱対象の被加熱物を選択する操作を支援する情報が、前記音声ガイド装置３１から報知されるので、誘導加熱調理器の使用に不慣れな初心者であっても、第１のアイコン２０が表示されたときに、使用者のタッチ操作を支援し、使用者の安心感、操作性を向上させることが期待できる。
【０１０３】
（９）：前記表示画面３０には、第５のアイコンであるインフォーメーション・キー７０が表示され、当該インフォーメーション・キーにタッチした場合、第２のアイコンをタッチする段階の使用者に対して、加熱コイル１０の駆動パターンを選択できる調理モード毎の加熱コイル１０の駆動パターン、消費電力量を節約する加熱調理の条件設定方法、火力を設定する場合の注意点及び加熱調理中の安全上の注意点、の少なくとも何れか１つに関する情報が、前記音声ガイド装置３１から報知されるようにしてある。このため、誘導加熱調理器の使用に不慣れな初心者であっても、第２のアイコン２０が表示されたときに、使用者の調理条件設定操作を支援し、使用者の安心感、操作性を向上させることが期待できる。
【０１０４】
実施の形態２．
図１０〜図１３は、本発明の実施の形態２に係る（組み込み式の）誘導加熱調理器を示すものである。図１０は、誘導加熱調理器の表示画面の動作過程を示す平面図である。図１１は、図１０の誘導加熱調理器の表示画面とその周辺部を示す平面図１である。図１２は、図１０の誘導加熱調理器の表示画面とその周辺部を示す平面図２である。図１３は、図１０の誘導加熱調理器の制御装置の制御動作を示すフローチャート図である。なお、実施の形態１と同一又は相当部分は同一符号を付け、重複した説明は省略する。
【０１０５】
図１０において、３０は表示画面、５０は第４のアイコン、６５〜６７は、調理モードのアイコン（第３のアイコン）、７４は、誘導加熱動作の停止を指令するストップキー（第７のアイコン）である。
【０１０６】
図１０において、６１は、火力の調整アイコン（第２のアイコン）、６２も火力の調整アイコン（第２のアイコン）であり、６５〜６７は、調理モードのアイコン（第３のアイコン）である。
【０１０７】
図１０は、煮込みモードのアイコン６５を選択した場合の表示画面３０を示しており、調理メニューの表示部８２には「煮込みモード・動作情報」と表示される。表示画面３０は、現在の「煮込みモード」の火力と現在加熱コイル１０が加熱駆動されている状態かどうかが、文字、数字によって表示されることが特徴である。具体的には、火力表示エリア８７において、「煮込み火力３」と表示されている。煮込み火力３は約４００Ｗである。加熱が停止しているときは、表示情報７１は、「休止中」と表示される。図１０は加熱中であるから、「加熱中」と白抜き文字で表示されている状態である。個々の加熱コイル１０の駆動条件を示す表示部８３には、前記煮込みモードの火力と通電時間が表示される。
【０１０８】
通電時間は、制御装置２３でカウントダウンされ、時間経過とともに４０秒→３９秒・・・３０秒→２９秒→・・・→０秒と変化する。通電する時間と火力は、図１０に示すように、横長の表示枠８４Ａ〜８４Ｈの形式で、一覧状態で表示される。
前記表示枠８４Ａ〜８４Ｈは、その１つ１つが、加熱コイル１０の通電量（火力）と、通電時間等の情報を示すものである。
【０１０９】
そして誘導加熱動作を開始すると、表示枠８４Ａ→８４Ｂ→８４Ｃ→８４Ｄ→８４Ｅ→８４Ｆ→８４Ｇ→８４Ｈの順に、通電している個々の加熱コイル１０が、どの位置の加熱コイル１０であるのかが、強調されるように表示される。つまり、高周波電力が印加された１つの加熱コイル１０を示す１つの枠部分（表示枠）８４Ａは、他の表示枠８４Ｂ〜８４Ｈに比較して判別しやすいように、目立つよう表示される。
【０１１０】
図１０では最も上の表示枠８４Ａの通電動作は、その左側に加熱コイル１０を模式的に示す図形８５でも表示される。つまり、表示枠８４Ａ〜８４Ｈと、加熱コイル１０の模式図形８５とは、対応しており、模式図形８５の網掛け部分は１つの加熱コイル１０が通電されていることを示しており、その加熱コイル１０は、表示枠８４Ａに表示されている通り、火力値（４００Ｗ）で所定時間（４０秒間）だけ駆動されていることが分かる。なお、８６は被加熱物Ｎ（底面）を模式的に示した図形部分である。
【０１１１】
８８は、誘導加熱調理メニューを選択するアイコン、８９は、この表示画面３０の前の表示状態に戻す場合にタッチする画面戻し用のアイコンである。
この実施の形態２によれば、加熱コイル１０の具体的な通電パターンを使用者が容易にイメージし易い。通電される加熱コイル１０が変わるごとに、図１０のように順次表示の形態は変化していくからである。これにより使用者には加熱コイル１０の通電パターンを容易に理解でき、安心感が増大する。
【０１１２】
次に図１１について説明する。前記表示画面３０は、前記加熱コイル１０による誘導加熱領域８の前端よりも手前側に配置されている（この点は、実施の形態１と同じである）。しかし、この実施の形態２では、前記表示画面３０の背後側に、使用者がタッチしたことを静電容量の変化から検知する電極９０を設け、前記制御装置２３は、前記第１のアイコン２０の選択場面において前記電極９０に使用者がタッチしたことを検知した場合、前記音声ガイド装置３１により警報を発することが、特徴の１つである。なお、被加熱物Ｎが逆に手前側へ過剰に置かれている場合も、その被加熱物Ｎの過剰接近を、電極９０が検知できるから、被加熱物Ｎが表示画面３０の後縁に接近したり、あるいは表示画面３０の上に底面が覆い被さったりしたような異常な載置を制御装置２３で検知して警報を出すことができる。
【０１１３】
図１１に示しているように、前記電極９０は、３本がトッププレート３の表面や下面に蒸着や印刷等で形成されている。すなわち、電極９０は、加熱領域８に近い側となる前記表示画面３０の背後側に配置した電極９０Ｂ、表示画面３０の右側縁に沿って配置した電極９０Ｒ、表示画面３０の左側縁に沿って配置した電極９０Ｌ、の合計３本から構成されている。なお、このような電極による使用者の手指の接触検知は既に公知である。
【０１１４】
図１１において、９１は、離れた位置にある加熱コイル１０の上に、同時に２つの被加熱物Ｎが置かれたことを、被加熱物載置判定部１１が検知し、それら２つの被加熱物Ｎの位置がイメージ的に分かるように表示画面３０に２つの第１のアイコン２０Ａ、２０Ｂで表示した状態を示している。
【０１１５】
図１１において、９１は、位置案内キーであり、表示画面３０の手前の縁に沿って、合計１１個が一直線上に並べて表示される。このキーは第１３のアイコンである。
この位置案内キーは、左右中心部の案内キー９１Ｃを挟んで、その両側に５つずつ配置され、中心から左端の案内キーは、９１Ｌの符号で示す。また中心から左端の案内キーは、９１Ｒの符号で示す。
【０１１６】
図１１の状態において、使用者が左側の第１のアイコン２０Ａにタッチした場合は、図１２の表示画面３０に切り替わる。しかし、使用者が左側の第１のアイコン２０Ａと右側の第１のアイコン２０Ｂの何れも選択できない（タッチ操作できない）状態であることが、制御装置２３で判定された場合に備え、最初から前記案内キー９１を第１のアイコン２０の表示と同期して表示する。なお、被加熱物載置判定部１１が２つの被加熱物Ｎ１、Ｎ２を検知し、前記音声ガイド装置３１によって、使用する被加熱物Ｎ１を、第１のアイコン２０Ａにタッチして選択するように促してから１分又は数分経過した場合に、制御装置２３は、使用者が左側の第１のアイコン２０Ａと右側の第１のアイコン２０Ｂの何れも選択できない、と推定処理している。
【０１１７】
図１１の状態において、使用者が２つの被加熱物Ｎ１、Ｎ２の内、左側の被加熱物Ｎ１を使用したいと考えた場合、前記案内キー９１の何れか１つにタッチすると、前記音声ガイド装置３１は、１つの被加熱物Ｎ１は、左４の案内キーの後方にあり、またもう１つの被加熱物Ｎ２は、右４の案内キーの後方にあることを音声で報知する。
【０１１８】
そこで使用者は、左４の案内キー９１と思われる案内キーにタッチすると、そのタッチした案内キー９１が、所望の「左４」の案内キーであった場合は、前記音声ガイド装置３１は、「タッチした案内キーの真っ直ぐ後ろに左側の鍋を選ぶための目的のアイコンがあります」と音声で案内する。しかし、間違って「左２」の案内キー９１にタッチしてしまった場合は、「タッチした案内キーは、左２のキーです。左４のキーはもっと左側の位置にあります」というように音声で案内する。このような案内キー９１は、視力が十分ある使用者には不要であり、直接第１のアイコン２０Ａに１回のタッチで到達するが、視覚障害者等には、正しく被加熱物Ｎを選ぶために有益に機能することが期待できる。
【０１１９】
次に図１２について説明する。前記案内キー９１にタッチしたかどうかに関係なく、図１１の状態で、使用者が左側の第１のアイコン２０Ａにタッチした場合、表示画面３０は図１２のように変化する。
この図１２は、加熱調理条件の内、火力を設定するための表示画面３０を示している。９２は、火力設定を促す案内情報の表示エリアである。６０Ａ〜６０Ｋは、実施の形態１で説明した火力用アイコン（第２のアイコン）６０Ａ〜６０Ｆと同様な、火力用アイコンである。最小火力のアイコン６０Ａでは、１５０Ｗを設定でき、最大火力のアイコン６０Ｋでは、３０００Ｗの火力を設定できる。つまり、前記案内キー９１の機能が制御装置２３によって切り替えられ、案内キー９１が火力用アイコン（第２のアイコン）に変化する。
【０１２０】
次に図１３について説明する。図１３は、実施の形態１における図９と同様に誘導加熱調理器ＣＨの制御装置２３の制御動作を示すフローチャート図である。
図１３において、ステップＳ２１は、図９のステップＳ２１とは無関係であり、図９のフローチャート図に示した動作ステップとは何ら連続していない。
図１３において、Ｓ２１〜Ｓ３２、実施の形態１の図９における動作ステップＳ１〜Ｓ１２に対応するものである。またＳ４０は、図９のステップＳ２０と対応する。更にＳ４１は、図９のＳ２１と対応したステップであるので、図１３においては、ステップＳ３３以降を説明する。
【０１２１】
図１３において、Ｓ３３は、加熱調理条件が全て設定されたかどうかを判断するステップであり、これは表示画面３０において、例えば「以上で調理条件の入力は完了ですか？」というような確認表示を行い、これを見て使用者が表示画面３０に表示されたスタートキー（第６のアイコン７３）をタッチしたかどうかで判定される。当該スタートキー７３をタッチした場合、ステップＳ３３は、「ＹＥＳ」となり、次のステップＳ３４に進む。
一方、使用者がスタートキー（第６のアイコン７３）をタッチしない場合は、ステップ３３の判定が繰り返し行われる（但し、例えば３０分経過すると、自動的にリセットされ、ステップＳ２４まで戻る。
【０１２２】
図１３において、Ｓ３４は、第２のアイコン６０Ａ〜６０Ｋ等で、火力値の設定が完了して、使用者が加熱動作開始指令を与えると、被加熱物Ｎの載置位置にある特定の加熱コイル１０だけにインバーター回路２５から高周波電力が供給され、加熱動作が開始される。
【０１２３】
加熱停止動作が行われ、あるいはタイマー調理と呼ばれている設定時間が超過すると（Ｓ３５）、前記インバーター回路２５は停止する（Ｓ３６）。なお、インバーター回路２５によって誘導加熱している期間中、前記被加熱物Ｎの材質検知（判定）手段３６は、加熱コイルの出力側電流検出も行い、また電源回路２２側の入力電流検出も行い、常に目的とする加熱能力（火力）が発揮されるように、制御装置２３へ検出結果を送信し続ける。そのため、制御装置２３は、インバーター回路２５の出力を目標範囲の中に制御して加熱駆動できる。
【０１２４】
インバーター回路２５の停止後、ステップＳ３８では、使用者が主電源スイッチ１５をＯＦＦにするか、あるいはそのまま一定時間（例えば３０分）経過した段階、但し、トッププレート３の温度が安全な温度まで低下したことが、温度検出回路２４によって検出された段階で、主電源スイッチ１５は自動的にＯＦＦされ、終了となる（Ｓ３９）。
【０１２５】
この実施の形態２は、ステップＳ４２とＳ４３に特徴がある。
すなわち、ステップＳ３４では、第２のアイコン６０Ａ〜６０Ｋ等で、火力値の設定が完了して、使用者が加熱動作開始指令を与えるかどうかを判定するが、この段階で、使用者が「保留処理」を選択できる。
【０１２６】
前記ステップＳ３４において、例えば「以上で調理条件の入力は完了ですか？  調理開始する場合はスタートキーを押して下さい。一時保留する場合は保留キーを押して下さい。保留して別の鍋の調理条件も設定できます」というような確認表示を行い、これを見て使用者が表示画面３０に表示された保留キー（図示せず）（第１４のアイコン）をタッチした場合は、ステップＳ３４は「Ｎｏ」となり、保留処理のステップＳ４２に進む。
【０１２７】
前記ステップＳ３４で保留処理を選択した場合、使用者が設定した火力等の調理条件は、選択した調理モードと対になって、制御装置２３の記憶装置２３Ｒに一時記憶される。そして使用者が、保留解除という指令を入力操作部５から制御装置２３に与えた場合、その火力等の調理条件は、選択した調理モードの情報と一括して記憶装置２３Ｒから読みだされて、制御装置２３の調理動作に使用される。但し、加熱動作の開始前に、被加熱物載置判定部１１で被加熱物Ｎ１の載置位置を判定（ステップＳ２４）し、保留処理前の位置と比較した結果、被加熱物Ｎ１の移動が検知された場合には、そのままでは加熱調理開始できず、ステップＳ２５に戻って再び各ステップを実行することになる。
【０１２８】
前記ステップＳ３４で保留処理を選択した場合、ステップＳ４２からステップＳ４３へ進んだ段階で、新しい被加熱物Ｎ２が検知されていないかどうかの判定が実行される。例えば、ステップＳ２４の段階で、図１１に示したように離れた位置に２つ以上の被加熱物Ｎ１、Ｎ２の載置が検知された場合、このステップ４３の段階で、再び被加熱物載置判定部１１によって被加熱物Ｎ１、Ｎ２の載置位置が判定される。
【０１２９】
このステップ４３においては、既にステップＳ３１の段階で、第１のアイコン２０Ａで選定された（右側の）被加熱物Ｎ１は、判定結果から除外される。その結果、ステップＳ４３の段階で、依然として（右側にも）別の被加熱物Ｎ２がある場合には、その被加熱物Ｎ２について、ステップ２５以降の処理が行われる。
【０１３０】
これにより、１つの被加熱物Ｎ１についての調理条件設定を優先させるということを使用者が選定した場合（保留処理を選択しない場合）は、それまでに調理条件の設定作業を進めて来た第１の被加熱物Ｎ１について調理開始の工程に進むことができる。ステップＳ４２で保留処理を選択しても、次のステップＳ４３において、他の被加熱物Ｎ２が検知されない場合、ステップＳ４４に進み、そのまま一定時間（例えば３０分）経過した段階で、次のステップＳ３８に進み、使用者が主電源スイッチ１５をＯＦＦにするか、あるいはそのまま一定時間（例えば３０分）経過した段階で主電源スイッチ１５は自動的にＯＦＦされ、終了となる（Ｓ３９）。但し、トッププレート３の温度が安全な温度まで低下したことが、温度検出回路２４によって検出されない限り、主電源スイッチ１５は自動的にＯＦＦされない（本体部１の内部冷却用の電動送風機を運転し続けるため）。
【０１３１】
以上の説明から明らかなように、この実施の形態２においても、実施の形態１における効果と同様な効果が期待できる。更にこの実施の形態２によれば、複数の被加熱物Ｎが同時にトッププレート３の上に置かれた場合でも、１つの被加熱物Ｎの調理条件を優先させ、その調理条件設定が終わると、次の被加熱物Ｎの調理条件設定操作に円滑に、使用者に混乱を招かずに操作を進めることができるという効果が期待できる。
【０１３２】
実施の形態３．
図１４〜図１５は、本発明の実施の形態３に係る（組み込み式の）誘導加熱調理器を示すものである。図１４は、誘導加熱調理器の表示画面の動作過程を示す平面図である。図１５は、図１４の誘導加熱調理器の制御装置の制御動作を示すフローチャート図である。なお、実施の形態１と同一又は相当部分は同一符号を付け、重複した説明は省略する。
【０１３３】
図１４において、５は本体部１に設けた入力操作部、１０は加熱コイルである。この図１４においては、最初に底面の形状が円形である第１の被加熱物Ｎ１がトッププレート３の左側端部に近い位置に置かれ、その後、その直ぐ右側位置に楕円形の第２の被加熱物Ｎ２が置かれた場合を示している。なお、本体部１の内部には、全ての加熱コイル１０の周囲を囲むように、可視光を導く細い棒状又は薄板状の導光体１００と、その導光体に光を導入する発光ダイオード等の光源１０１とが内蔵されている。そして加熱コイル１０の１つずつを、その周囲にある導光体１００からトッププレート３側へ光を放射させることで、各加熱コイル１０の位置がトッププレート３の上から視認できる構成になっている。なお、このような導光体１００と、光源１０１によって使用者に各加熱コイル１０の加熱領域を知らせることは、例えば日本特許公開２０１４−１１６０８８号公報によって知られている。
【０１３４】
図１４において、各加熱コイル１０の外径寸法は１０ｃｍ、第１の被加熱物Ｎ１の底面直径が２４ｃｍ、第２の被加熱物Ｎ１の底面の長径が約４０ｃｍ、短径が約２５ｃｍであり、加熱コイル１０相互間の間隙は、数ｍｍ程度であると仮定して以下説明する。
【０１３５】
図１４に図示したように、第１の被加熱物Ｎ１がトッププレート３の上に置かれた場合、その第１の被加熱物Ｎ１の下方には、４つの加熱コイル１０が存在することになる。一方、第２の被加熱物Ｎ１がトッププレート３の上に置かれた場合、その第２の被加熱物Ｎ１の下方には、６つの加熱コイル１０が存在することになる。ところが、第１、第２の被加熱物Ｎ１、Ｎ２が上記のように隣接した状態で置かれると、一方の被加熱物Ｎ１の誘導加熱時の磁束が、隣の別の被加熱物Ｎ２に悪影響を与え、制御装置２３がインバーター回路２５を介して正確な火力制御をできない懸念がある等、弊害が想定される。
【０１３６】
またこのようなマルチコイル方式では、被加熱物Ｎをトッププレート３の上のどの位置に置いても良いというメリットがあるが、ある大きさ以上の被加熱物Ｎ１、Ｎ２が上記のように隣接した状態で置かれた場合の弊害を除去する必要がある。
【０１３７】
そこで、この実施の形態３においては、２つの被加熱物Ｎ１とＮ２が、少なくとも１つの加熱コイル１０の外径（１０ｃｍ）程度の間隔を保つように使用者へ報知することが特徴である。
【０１３８】
具体的には、図１４に示しているように、第１の被加熱物Ｎ１がトッププレート３の上に置かれたあと、その第１の被加熱物Ｎ１の右隣に、大形の第２の被加熱物Ｎ２が置かれた場合、この第１、第２の被加熱物Ｎ１、Ｎ２の位置関係を、被加熱物載置判定部１１が判定し、２つの被加熱物Ｎ１、Ｎ２の間隔Ｗが、大体１つの加熱コイル１０の分だけ離れるように音声で報知し、また前記した導光体１００の光によって知らせる。そして、図１４の細い鎖線で示した第２の被加熱物Ｎ２の位置を、１つの加熱コイル１０分だけ（図１４の間隙寸法Ｗに近い寸法だけ）右側へ移動させて、太い鎖線で示した第２の被加熱物Ｎ２の位置とする。
【０１３９】
次に図１５について説明する。図１５において、Ｓ５１〜Ｓ５８が、制御装置２３の中核を構成するマイクロ・コンピュータの制御プログラムに基づく各動作ステップであり、被加熱物Ｎの位置検知と位置補正勧告に関する部分である。
【０１４０】
以下、スタートＳ５１から順に説明する。前記主電源スイッチ１５の操作ボタン１５Ａを押すと、主電源スイッチ１５が閉じられる（Ｓ５２）。
ステップＳ５２で主電源スイッチ１５が閉じられたことが制御装置２３で検知されると、表示画面を構成する液晶表示画面の電源回路等が駆動回路３７によって駆動され、表示画面３０が起動される。また被加熱物載置判定部１１と、被加熱物Ｎの材質検知（判定）手段３６も起動される。さらに音声ガイド装置３１も起動され、使用者に対して、加熱調理に使用する被加熱物Ｎをトッププレート３の上に置くように案内する（Ｓ５３）。
【０１４１】
使用者が、上記した第１の被加熱物Ｎ１をトッププレート３の上に置いて調理している期間中、上記した第２の被加熱物Ｎ２をその第１の被加熱物Ｎ１の近い位置に置くと、被加熱物載置判定部１１が、どの加熱コイル１０の上に第２の被加熱物Ｎが置かれたのかを調べる。前記したように、各加熱コイル１０には、その中心部にセンサー１２Ａが配置されているため、第２の被加熱物Ｎ２の真下の位置にある加熱コイル１０に配置したセンサー１２Ａからの検知信号で、被加熱物載置判定部１１が第２の被加熱物Ｎ２の存在を検知する（Ｓ５３）。なお、規定の大きさよりも小さな金属物、例えばスプーン等は、この段階では被加熱物Ｎと判別されない。
【０１４２】
次に、第２の被加熱物Ｎ２の存在が検知された場合、ステップＳ５４に進み、被加熱物Ｎの数が再度確認される。被加熱物Ｎの総数が３個未満であった場合は、ステップ５５に進む。３個や４個であった場合は、エラー表示処理Ｓ６０に進み、音声ガイド装置３１からは、同時に３個以上は使用できないと報知する。
【０１４３】
次に、ステップＳ５５では、第２の被加熱物Ｎ２に対応する加熱コイル１０の数を判定する。そして４個以上と判定された場合（このケースの場合では、６個と判定する）は、第１の被加熱物Ｎ１と同等かそれ以上の大きさの被加熱物Ｎ２であると判定する。
【０１４４】
次に、ステップＳ５６では、第１の被加熱物Ｎ１と第２の被加熱物Ｎ２の載置位置の判定情報から、隣り合った加熱コイル１０の上に第２の被加熱物Ｎ２が置かれていないかどうかの判定が行われる。
ここで、隣接する２つの加熱コイルの上に第１の被加熱物Ｎ１と第２の被加熱物Ｎ２が置かれていることが判明した場合、その両者の間隔は所定値未満と推定する（Ｓ５７）。
そして２つの被加熱物Ｎ１、Ｎ２の間隔が狭いと判定された場合、ステップＳ５８では、第１の被加熱物Ｎ１と第２の被加熱物Ｎ２の下方にある加熱コイル１０が隣接しないように、第２の被加熱物Ｎ２を（第１の被加熱物Ｎ１から遠ざかる方向に）１個の加熱コイル１０の分（約１０ｃｍ）だけ、最低限移動させるように使用者に勧告する（Ｓ５８）。
【０１４５】
ここで、使用者が加熱コイル１つ分だけ移動させることを確実に誘導するため、前記した導光体の光によって、１つの加熱コイル１０の直径の分だけ隣の方向にシフトして加熱領域を光らせる。そして、図１４の細い鎖線で示した第２の被加熱物Ｎ２の位置を、１つの加熱コイル１０分だけ右側へ移動させて、太い鎖線で示した第２の被加熱物Ｎ２の位置とする。なお、使用者の注意を喚起するため、前記した導光体１００の光は、点滅状態にするか、又は通常の加熱調理時とは異なった光を発するようにする。そして使用者が第２の被加熱物Ｎ２を置き直した場合、その新たな位置で、再度上記ステップＳ５３以降が実施される。
こうしてステップ６７で、所定間隔未満となっていないとの判定を得た場合、通常処理モードに移る。なお、通常処理モードとは、実施の形態１の図９で説明したような処理をいう。具体的には、図１５のステップＳ５６とＳ５７から、図９に示すステップＳ５に進む（但し、材質判定だけを行う）。
【０１４６】
以上の説明から明らかなように、この実施の形態３の誘導加熱調理器は、
２つの被加熱物Ｎ１、Ｎ２を載置するトッププレート３を上面に有する本体部１と、
前記本体部１の内部に収容された複数個の加熱コイル１０と、
前記加熱コイル１０に高周波電流を供給するインバーター回路２５と、
前記加熱コイル１０の直上に２つの被加熱物Ｎ１、Ｎ２が載置されているかどうかを判定し、当該被加熱物Ｎ１、Ｎ２の下方に位置する前記加熱コイル１０を特定する被加熱物載置判定部１１と、
前記本体部１の上面に設けた入力操作部５と、
前記本体部１に設けた主電源スイッチ１５と、
前記入力操作部５の使用者へ音声で操作に関する情報を報知する音声ガイド装置３１と、
前記入力操作部５、前記インバーター回路２５及び前記音声ガイド装置３１を制御する制御装置２３と、を備え、
前記入力操作部５には、タッチ入力のための複数種類のアイコンが表示される表示画面３０を有し、
前記制御装置２３は、前記被加熱物載置判定部が被加熱物Ｎ１、Ｎ２の載置を判定した結果に基づいて、前記表示画面３０の表示エリアに第１のアイコン２０を表示させ、
前記音声ガイド装置３１は、使用者が前記第１のアイコン２０にタッチ操作するために参考となる情報を報知し、
さらに、前記制御装置２３は、前記第１、第２の被加熱物Ｎ１、Ｎ２の設置位置が接近している場合には、前記音声ガイド装置３１によって、適正な設置位置となるように音声で案内する構成である。
【０１４７】
このため、この誘導加熱調理器ＣＨによれば、実施の形態１における効果と同様な効果が期待できる。更にこの実施の形態３によれば、複数の被加熱物Ｎが異常に接近してトッププレート３の上に置かれた場合には、その１つの被加熱物Ｎの位置を見直して、置き直す（位置を修正するように）音声ガイド装置３１で報知し、また導光体１００の光によって、適正な位置となるように、加熱領域を光らせるから、マルチコイル方式の利点を損なわずに誘導加熱することができる。
【０１４８】
実施の形態４．
図１６〜図１８は、本発明の実施の形態４に係る（組み込み式の）誘導加熱調理器を示すものである。図１６は、誘導加熱調理器の平面図である。図１７は、図１６の誘導加熱調理器の制御装置の制御動作を示すフローチャート図である。図１８は、図１６の誘導加熱調理器の表示画面の動作過程を示す平面図である。なお、実施の形態１と同一又は相当部分は同一符号を付け、重複した説明は省略する。
【０１４９】
図１６に示す誘導加熱調理器ＣＨは、電力会社等の外部機関から各家庭に設置された電力指令装置（図示せず）経由で、消費電力の削減指令信号を無線又は有線により受け、その削減指令信号に対応して、加熱調理動作中に機器全体の消費電力を削減する機能を有している。例えば、上限の消費電力が２０００Ｗで加熱調理中、上限値を１５００Ｗにするように、削減指令信号を受けた場合、加熱源の電力を制御し、使用者が操作しなくとも強制的（自動的）に削減動作するものである。なお、そのような総消費電力を削減できる誘導加熱調理器の期待が高まっており、例えば日本特許公開２０１４−１２０４３０号公報や、日本特許公開２０１１−５５６２２号公報には、そのような消費電力削減可能な誘導加熱調理器が提案されている。
【０１５０】
ところで、上記先行技術文献（本特許公開２０１４−１２０４３０号公報や、日本特許公開２０１１−５５６２２号公報）に示されたものは、トッププレート上に加熱口が１つ又は複数個配置された形式の誘導加熱調理器を前提にしたものである。
【０１５１】
以下、具体的に説明する。図１６において、誘導加熱調理器ＣＨは、本体部２の上面に、被加熱物Ｎ（Ｎ１、Ｎ２・・・）を載せるトッププレート３と、そのトッププレート３の手前に横長の入力操作部（上面操作部）５、とをそれぞれ備えている。
【０１５２】
前記トッププレート３の上に設定されている横長長方形の加熱エリア８は、消費電力の削減指令信号を受けても非加熱エリアに変更されない第１の加熱エリア８Ｐと、消費電力の削減指令信号を受けた場合に非加熱エリアに変更される第２の加熱エリア８Ｎ、との２つの部分から構成されている。
【０１５３】
前記入力操作部５には、横長の表示画面３０と、主電源スイッチ１５の操作ボタン１５Ａが配置されている。１０２は、省エネモード設定スイッチ（図示せず）の操作ボタンである。
【０１５４】
前記省エネモード設定スイッチ（図示せず）は、操作ボタン１０２を使用者が押した場合、誘導加熱調理器ＣＨの最大定格電力（６０００Ｗ）を、それよりも低い一定値、例えば５０００Ｗに制限するものである。この省エネモード設定スイッチによって、制御装置２３は、被加熱物Ｎの大きさや数、あるいは加熱調理時に通電される加熱コイル１０の個数に関係なく、上記したように誘導加熱調理器ＣＨの総消費電力が５０００Ｗ以下になるように、主にインバーター回路２５を制御する。
【０１５５】
また、前記省エネモード設定スイッチの操作ボタン１０２を使用者が押した場合、前記加熱エリア８は、第１の加熱エリア８Ｐだけに制限され、仮に第２の加熱エリア８Ｎに被加熱物Ｎを置いても誘導加熱できない。
【０１５６】
図１６において、１０３は、実施の形態３で示したような導光体１００と光源１０１によって、トッププレート３をその下方から光で照らし、トッププレート３の表面に、四角の枠形状を光で浮かび上がらせた載置位置案内マークである。この案内マーク１０３は、省エネモード設定スイッチの操作ボタン１０２を押さず、通常運転モードの場合には、主電源スイッチ１５をＯＮすると、第１の加熱エリア８Ｐと、第２の加熱エリア８Ｎを囲むような枠状に現れるが、省エネモードに設定した場合、及び誘導加熱調理器ＣＨが消費電力の削減指令信号を受けて加熱エリア８を制限する場合には、第１の加熱エリアだけを強調するように光で案内する。
【０１５７】
次に図１７について説明する。図１７において、Ｓ７１〜Ｓ７９が、制御装置２３の中核を構成するマイクロ・コンピュータの制御プログラムに基づく各動作ステップであり、被加熱物Ｎの加熱エリア８を制限し、またその制限結果を報知する動作に関する部分である。
【０１５８】
以下、スタートＳ７１から順に説明する。前記主電源スイッチ１５の操作ボタン１５Ａが押されて誘導加熱調理動作を実行中に、制御装置２３は消費電力の削減指令信号を受ける（Ｓ７２）と、総電力削減対応処理を開始し、第２の加熱エリア８Ｎで誘導加熱調理を行っているかどうかを判定する（Ｓ７３）。なお、制御装置２３は、被加熱物載置判定部１１の検知情報によって被加熱物Ｎの存在と、対応する加熱コイル１０を把握し、必要な加熱コイル１０だけに高周波電流を供給しているので、第２の加熱エリア８Ｎで誘導加熱調理を行っているかどうかは容易に判定できる。
【０１５９】
第２の加熱エリア８Ｎで誘導加熱調理を行っていない場合（第２の加熱エリア８Ｎには、被加熱物Ｎが置いてあるが、それは既に加熱動作終了済みであるか、あるいは加熱動作指令を与えていないものである場合を含む）、ステップＳ７４に進む。
【０１６０】
ステップＳ７４においては、制御装置２３は、前記省エネモード設定スイッチをＯＮした状態と同様に、前記加熱エリア８（８Ｎ、８Ｐ）を、第１の加熱エリア８Ｐだけに制限する。そして表示画面３０において、省エネモードに設定したことを表示させる。さらに音声ガイド装置３１によって、省エネモードに設定したため、第２の加熱エリア８Ｎにおいては被加熱物Ｎを置いても誘導加熱できないことを音声で報知する（Ｓ７５）。
【０１６１】
またこのステップＳ７５においては、制御装置２３は、第１の加熱エリア８Ｐと、第２の加熱エリア８Ｎを囲むような枠状に表示していた載置位置案内マーク１０３の範囲を狭め、第１の加熱エリア８Ｐだけを囲むように、関係する光源１０１だけを点灯させる。
【０１６２】
一方、ステップＳ７３において判定した結果、第２の加熱エリア８Ｎで誘導加熱調理を行っていると判定された場合、ステップ７６に進み、総電力削減設定処理を行うことを応答信号として外部（電力指令装置）へ発信する。そして誘導加熱調理器ＣＨの最大定格電力（６０００Ｗ）を、それよりも低い一定値、例えば５０００Ｗに制限するために、制限動作の基準となる内部の電力上限値を５０００Ｗに変更する。
【０１６３】
次のステップＳ７７において、制御装置２３は、誘導加熱動作が終了したかどうかをチェックし、終了した場合は、ステップＳ７８に進む。ステップＳ７８では、前記ステップＳ７４と同様に、前記加熱エリア８（８Ｎ、８Ｐ）を、第１の加熱エリア８Ｐだけに制限する。
【０１６４】
そしてステップＳ７８を経た場合でも、ステップ７５において、表示画面３０で、外部からの電力削減要請に応じて、省エネモードに自動的に設定したことを表示させる。さらに音声ガイド装置３１によって、省エネモードに設定したため、第２の加熱エリア８Ｎにおいては被加熱物Ｎを置いても誘導加熱できないことを音声で報知し、終了する（Ｓ７９）。
【０１６５】
次に図１８について説明する。前記したように制御装置２３が消費電力の削減指令信号を受けた場合、及び省エネモード設定スイッチ（図示せず）の操作ボタン１０２を使用者が押した場合、の何れの場合も、省エネモードに設定されるが、図１８は省エネモード設定前と設定後における表示画面３０の変化を示したものである。
【０１６６】
図１８において、３０Ｎは第２の加熱エリア８Ｎに置かれた被加熱物Ｎの存在を表示する制限対象表示エリアである。
３０Ｐは、第１の加熱エリア８Ｐに置かれた被加熱物Ｎの存在を表示する優先表示エリアである。
【０１６７】
省エネモード設定前は、加熱エリア８は制限されていないので、図１８（Ａ）から明らかなように、表示エリアは、制限対象表示エリア３０Ｎと優先表示エリア３０Ｐの双方を包含したものである。しかし、省エネモード設定後は、加熱エリア８は制限されるので、この制限に対応して、図１８（Ｂ）から明らかなように、表示画面３０では、優先表示エリア３０Ｐだけが表示される。そのため、優先表示エリア３０Ｐの表示面積を（省エネモード設定前に比較して）広く確保できるので、１度に表示できる情報を増やすことが可能となる。
【０１６８】
なお、主電源スイッチ１５をＯＮした後、誘導加熱調理を始める前に省エネモード設定スイッチの操作ボタン１０２を押せば、最初に被加熱物Ｎを第２の加熱エリア８Ｎに置いても、制御装置２３は被加熱物Ｎの載置を検知しないので、誘導加熱調理は開始できない。つまり、使用者は、トッププレート３の上の後部エリアを、直ぐには使用しない調理器具等の一時的な置き場所に利用できる。なお、省エネモード設定後、省エネモード設定スイッチの操作ボタン１０２を再度押すと、省エネモードの解除は、誘導加熱調理中でも可能であるが、前記したように第２の加熱エリア８Ｎに置かれた金属製の調理器具等が、被加熱物Ｎであると誤って判定されないように、表示画面３０と音声ガイド装置３１によって事前に報知され、その後、使用者が確認操作（液晶画面３０の特定のアイコンに触れる）することで初めて解除されるような安全対策を施している。
【０１６９】
この実施の形態４に示した誘導加熱調理器ＣＨは、
被加熱物Ｎを載置するトッププレート３を上面に有する本体部１と、
前記本体部の内部に収容された複数個の加熱コイル１０と、
前記加熱コイル１０に高周波電流を供給するインバーター回路２５と、
前記加熱コイル１０の直上に被加熱物が載置されているかどうかを判定する被加熱物載置判定部１１と、
前記本体部１の上面に設けた入力操作部（上面操作部）５と、
前記本体部１に設けた主電源スイッチ１５と、
前記入力操作部５の使用者へ音声で操作に関する情報を報知する音声ガイド装置３１と、
前記入力操作部５、前記インバーター回路２５及び前記音声ガイド装置３１を制御する制御装置２３と、を備え、
前記入力操作部５には、タッチ入力のための複数種類のアイコンが表示される表示画面３０を有し、
前記制御装置２３は、前記被加熱物載置判定部１１が被加熱物Ｎの載置を判定した結果に基づいて、前記表示画面３０の第１の表示エリア４０に第１のアイコン２０を表示させ、
前記音声ガイド装置３１は、使用者が前記第１のアイコン２０にタッチ操作するために参考となる情報を報知し、
前記制御装置２３は、被加熱物Ｎを加熱する加熱エリアを、第１の加熱エリアと第２の加熱エリアに区分けするため、前記加熱コイルを、その第１の加熱エリアと第２の加熱エリアに対応するグループに分けて通電を制御し、
前記制御装置２３は、使用者の操作又は外部からの指令に応じて省エネモードに設定した場合、前記第１の加熱エリアに属する加熱コイルに加熱調理用電力を供給し、第２の加熱エリアに対応する加熱コイルには加熱調理用電力を供給しないことを特徴とするものである。
【０１７０】
従って、この実施の形態４の誘導加熱調理器によれば、実施の形態１と同様に、表示画面３０で第１のアイコン２０を、使用者が容易に選定でき、操作性を向上させることができるとともに、便利な使用方法ができる。
例えば、第１の加熱エリアをトッププレート３の中央部の一定の範囲に制限し、結果的に狭い加熱エリア８（８Ｐ）にして使用できる。あるいは、入力操作部５のある表示画面３０から最も遠いトッププレート３の後端部側を使用できないように（第２の加熱エリア８Ｎに設定）し、省エネモードでも使用できる加熱領域の全体を光源１０１で照らすようにしても良い。このような構造であれば、電力消費量を削減しながら、使用者の使い勝手を損なうことなく、加熱調理に使用できる。
【０１７１】
またそのように電力削減のために誘導加熱に使わない加熱コイル１０を固定化し、加熱領域と非加熱領域を明確に分離したことを使用者に視覚的に表示することにより、特定の加熱エリアは使用しないことが明白になれば、その非加熱領域に他の調理器具を置いたり、調理の準備材料を置いたり、トッププレート３の上を有効活用できる。
【０１７２】
以上説明した表示画面３０では、使用者がその表面に直接タッチすると説明したが、表示画面３０の表面に、タッチ式入力に支障がない程度の透明フィルム等を張り付けて、表示画面３０の傷付きを防止するようにしたものであっても、本発明でいう「表示画面にタッチして入力する形式」に該当する。言い換えると、トッププレート３を介さずに、表示画面の表面に直接タッチする場合、及び薄い透明フィルム等を介して表示画面３０の表面に間接的にタッチする場合の何れも「表示画面入力」に該当する。
【０１７３】
今回開示された実施の形態はすべての点で例示であって制限的なものではないと考えられるべきである。本発明の実質的な範囲は、上記した説明ではなく、特許請求の範囲によって示され、特許請求の範囲と均等の意味および範囲内でのすべての変更が含まれることが意図されている。
【産業上の利用可能性】
【０１７４】
本発明に係る電力制御システムは、家庭用だけではなく業務用の電化機器を設置した商店や小規模な工場等でも広く利用することができる。
【符号の説明】
【０１７５】
ＣＨ  誘導加熱調理器
ＥＳ  異常検知手段
ＦＧ  指先
ＩＰ  入力操作部
Ｎ  被加熱物
１  本体部
１Ａ  本体筐体
２  天面部
３  トッププレート
４  窓
５  上面操作部
６  グリル部
６Ａ  グリル扉
８  加熱エリア（加熱領域）
８Ｎ  第２の加熱エリア
８Ｐ  第１の加熱エリア
１０  加熱コイル
１０Ａ  空洞
１１  被加熱物載置判定部
１２  センサー
１２Ａ  センサー
１２Ｂ  センサー
１３  上部飾り板
１４  下部飾り板
１５  主電源スイッチ
１５Ａ  操作ボタン
１６  第１の吸気口
１７  排気口
１８  排気口
２０  第１のアイコン
２０Ａ  第１のアイコン
２０Ｂ  第１のアイコン
２１  電源線
２２  電源回路
２３  制御装置
２３Ｒ  記憶装置
２４  温度検出回路
２５  インバーター回路
２６  液晶表示基板
２７  輻射式電気ヒーター
２８  触媒ヒーター
２９  触媒ヒーターの駆動回路
３０  表示画面
３０Ｎ  制限対象表示エリア
３０Ｐ  優先表示エリア
３１  音声合成装置
３２  スピーカー
３３  蒸気供給装置
３４  時計回路
３５  感振機器
３６  被加熱物Ｎの材質検知（判定）手段
３７  液晶表示基板の駆動回路
３９  タッチ検知範囲
４０  表示エリア
４１  表示エリア
４２  表示エリア
４５  アドバイス情報表示部
４５Ａ  文字情報
４６  加熱コイルのイメージ図
４８  順番情報
５０  ヘルプモード・キー（第４のアイコン）
５１  反応領域（検知部）
５２  反応領域（検知部）
５３  誘導マーク
６０Ａ〜６０Ｋ  火力用アイコン（第２のアイコン）
６１  調整アイコン（第２のアイコン）
６２  調整アイコン（第２のアイコン）
６５〜６７  調理モードのアイコン（第３のアイコン）
７０  インフォーメーション・キー（第５のアイコン）
７１  表示情報
７２  参考イメージ図
７４  ストップキー（第７のアイコン）
７５  次画面指令キー（第８のアイコン）
８０  仕切り枠
８２  調理メニューの表示部
８３  表示部
８４Ａ〜８４Ｈ  表示枠
８５  図形
８８  アイコン（第１１のアイコン）
８９  アイコン（第１２のアイコン）
９０  電極
９１  位置案内キー（第１３のアイコン）である。
１００  導光体
１０１  光源
１０２  省エネモード設定スイッチの操作ボタン
１０３  載置位置案内マーク。
【図１】
2016025031.tif 000003
【図２】
2016025031.tif 000004
【図３】
2016025031.tif 000005
【図４】
2016025031.tif 000006
【図５】
2016025031.tif 000007
【図６】
2016025031.tif 000008
【図７】
2016025031.tif 000009
【図８】
2016025031.tif 000010
【図９】
2016025031.tif 000011
【図１０】
2016025031.tif 000012
【図１１】
2016025031.tif 000013
【図１２】
2016025031.tif 000014
【図１３】
2016025031.tif 000015
【図１４】
2016025031.tif 000016
【図１５】
2016025031.tif 000017
【図１６】
2016025031.tif 000018
【図１７】
2016025031.tif 000019
【図１８】
2016025031.tif 000020